(57)【要約】  本発明は、端末測定データを収集するための方法およびシステム、統合基準点マネージャシステム、統合基準点エージェントシステム、ホームネットワークサーバ、モビリティマネージャエンティティ、基地局、ならびにユーザ装置を提供する。統合基準点エージェント(IRP Agent)は端末測定データ開始操作または端末測定データ終了操作を統合基準点マネージャ(IRP Manager)から受信して、端末測定データ開始操作は端末測定データの収集を開始するために使用されて、端末測定データを収集するための構成パラメータを搬送し、端末測定データ終了操作は端末測定データの収集を終了させるよう命令するために使用される。本発明により、端末は端末測定データを収集および報告できるようになる。
2013520886.tif 000002
【特許請求の範囲】
【請求項１】
統合基準点マネージャ(IRP Manager)によって送信された端末測定データ開始操作または端末測定データ停止操作を統合基準点エージェント(IRP Agent)によって受信するステップであって、前記端末測定データ開始操作が、端末測定データ収集を開始するために使用されて、端末測定データを収集するために使用される構成パラメータを搬送し、前記端末測定データ停止操作が、端末測定データ収集の停止を命令するために使用されるステップを備える、端末測定データを収集するための方法。
【請求項２】
前記端末測定データ停止操作が端末測定停止インジケータを搬送する、請求項1に記載の方法。
【請求項３】
統合基準点エージェント(IRP Agent)によって、端末測定データを収集するために使用される前記構成パラメータまたは前記端末測定データ停止操作において搬送された前記端末測定停止インジケータを、ネットワークを介してユーザ装置(UE)に送信して、前記UEが端末測定データを収集するために使用される前記構成パラメータによって端末測定データ収集を開始できるように、または前記端末測定停止インジケータによって端末測定データ収集を停止できるようにするステップをさらに備える、請求項1に記載の方法。
【請求項４】
前記統合基準点エージェント(IRP Agent)が、前記端末測定データ停止操作によって前記UEに端末測定データ収集の停止を通知する、請求項1に記載の方法。
【請求項５】
前記IRP Agentによって、端末測定データを収集するために使用される前記構成パラメータ、または前記端末測定停止インジケータを、前記ネットワークを介して前記UEに送信する前記ステップが、
前記IRP Agentによって、端末測定データを収集するために使用される前記構成パラメータ、または前記端末測定停止インジケータをホーム加入者サーバ(HSS)、モビリティ管理エンティティ(MME)、サービングGPRSサポートノード(SGSN)、モバイルスイッチングセンタ(MSC)、ノードB、または無線ネットワークコントローラを通じて前記UEに送信するステップを備える、請求項3に記載の方法。
【請求項６】
前記IRP Agentによって、トレースセッションアクティベーションまたはトレースセッションデアクティベーションメッセージを前記ホーム加入者サーバ(HSS)、MME、SGSN、MSC、ノードB、または無線ネットワークコントローラに送信するステップであって、トレースセッションアクティベーションメッセージが端末測定データを収集するために使用される前記構成パラメータを搬送し、前記トレースセッションデアクティベーションメッセージが前記端末測定停止インジケータを搬送するステップをさらに備える、請求項5に記載の方法。
【請求項７】
前記IRP Agentが端末測定データを収集するために使用される前記構成パラメータを前記HSSに送信する場合、
位置更新回答(Update Location Answer)メッセージを使用することによって、前記HSSによって、端末測定データを収集するために使用される構成パラメータを前記MME、SGSN、またはMSCに送信するステップと、
端末測定データを収集するために使用される前記構成パラメータを受信する前記エンティティによって、イニシャルコンテキストセットアップ(Initial Context Setup)要求、またはCN呼出しトレース(CN Invoke Trace)メッセージを使用することによって、端末測定データを収集するために使用される前記構成パラメータを前記ノードBまたは無線ネットワークコントローラに送信するステップとをさらに備える、請求項6に記載の方法。
【請求項８】
前記IRP Agentが、端末測定データを収集するために使用される前記構成パラメータを前記HSSに送信する場合、
加入者データ挿入(Insert subscriber data)を使用することによって、前記HSSによって、端末測定データを収集するために使用される構成パラメータを前記MME、SGSN、またはMSCに送信するステップと、
端末測定データを収集するために使用される前記構成パラメータを受信する前記エンティティによって、トレース開始(Trace Start)、またはCN呼出しトレース(CN Invoke Trace)メッセージを使用することによって、端末測定データを収集するために使用される前記構成パラメータを前記ノードBまたは無線ネットワークコントローラに送信するステップとをさらに備える、請求項6に記載の方法。
【請求項９】
前記EMSが、端末測定データを収集するために使用される前記構成パラメータを前記HSSに送信する場合、
ユーザ測定データ収集を開始するための他のメッセージを使用することによって、前記HSSによって、端末測定データを収集するために使用される構成パラメータを前記MME、SGSN、またはMSCに送信するステップと、
端末測定データを収集するために使用される前記構成パラメータを受信する前記エンティティによってページングを開始して、前記ユーザ装置によって返されるページング応答を受信後にイニシャルコンテキストセットアップ(Initial Context Setup)要求、またはCN呼出しトレース(CN Invoke Trace)メッセージを使用することによって、端末測定データを収集するために使用される前記構成パラメータを前記ノードBまたは無線ネットワークコントローラに送信するステップとをさらに備える、請求項6に記載の方法。
【請求項１０】
前記ノードBまたは無線ネットワークコントローラによって、無線リソース制御シグナリングを使用することによって、端末測定データを収集するために使用される前記構成パラメータを前記UEに送信するステップをさらに備える、請求項7、8、または9に記載の方法。
【請求項１１】
前記MMEまたはSGSNによって、非アクセス層シグナリング(NAS)を使用することによって、端末測定データを収集するために使用される前記構成パラメータを前記UEに送信するステップをさらに備える、請求項6に記載の方法。
【請求項１２】
前記IRP Agentによって、端末測定データを収集するために使用される前記構成パラメータを前記UEに送信する前記ステップが、
前記IRP Agentによって、セルトラフィックトレース(Cell Traffic Trace)、またはトレースセッションアクティベーション(Trace Session Activation)メッセージをノードBまたは無線ネットワークコントローラに送信するステップを備え、前記メッセージが端末測定データを収集するために使用される前記構成パラメータを搬送して、前記ノードBまたは無線ネットワークコントローラが端末測定データを収集するために使用される前記構成パラメータをセル内のUEに配信できるようにする、請求項1に記載の方法。
【請求項１３】
送信元ノードBまたはMME/SGSN/MSCによって送信先ノードBに送信されたHANDOVER REQUESTコマンドが、端末測定データを収集するために使用される構成パラメータを搬送する、請求項1に記載の方法。
【請求項１４】
ノードBによって、UEによって返された端末測定データ報告を受信して、前記報告をトレースデータ収集エンティティに転送するステップをさらに備える、請求項1に記載の方法。
【請求項１５】
前記端末測定データ報告が、インターフェースタイプ、メッセージタイプ、一意の呼アイデンティティ、UE測定に対応する測定されたセルIDまたは他のUE位置情報、時間情報、位置情報、および特定の測定値の情報のうちの任意の組合せを備える、請求項14に記載の方法。
【請求項１６】
端末測定データを収集するために使用される前記構成パラメータが、
端末測定データインジケータ、UE測定データ収集基準、報告されたUE測定情報、端末測定データを報告するアドレス、端末測定データ収集の範囲リスト、端末測定データ収集の開始時間、端末測定データ収集の終了時間、端末測定データのスケジューリング期間、端末測定データ収集の優先順位、およびターゲットユーザアイデンティティ(IMSI, IMEI)またはターゲットユーザアイデンティティのリストのパラメータのうちの任意の組合せを備える、請求項1から11のいずれか一項に記載の方法。
【請求項１７】
端末測定データ収集の前記範囲リストが、
セルアイデンティティ、セルアイデンティティリスト、トレース領域アイデンティティ、トレース領域アイデンティティリスト、ノードBアイデンティティ、およびノードBアイデンティティリストのオプションのうちの1つまたは複数を備える、請求項16に記載の方法。
【請求項１８】
端末測定データを収集するために使用される前記構成パラメータが、
端末の測定データ収集識別子、
端末の測定データ収集機能情報、
端末の位置検出機能情報、
端末によって測定されている測定アイテム、
測定アイテムの測定モード、期間、イベント、または定期的イベント、および、
測定アイテムの報告モード、期間、イベント、または定期的イベント
のパラメータのうちの任意の組合せを備える、請求項13に記載の方法。
【請求項１９】
前記報告されたUE測定情報が、UE位置、時間情報、サービングセルの測定アイテム、および1つまたは複数の隣接セルの測定アイテムのパラメータのうちの任意の組合せを備える、請求項16に記載の方法。
【請求項２０】
サービングセルの前記測定アイテムが、グローバルセルアイデンティティ(CGI, Global Cell Identity)、物理的セルアイデンティティ(PCI, Physical Cell Identity)、基準信号受信電力(RSRP, Reference Signal Received Power)、基準信号受信品質(RSRQ, Reference Signal Received Quality)、電力ヘッドルーム報告(PHR, Power Headroom Report)、タイミングアドバンス(TA, Timing Advance)、信号対干渉および雑音比SINR、信号対雑音比SNR、ならびに信号対干渉比SIRのオプションのうちの任意の組合せを備える、請求項19に記載の方法。
【請求項２１】
1つまたは複数の隣接セルの前記測定アイテムが、グローバルセルアイデンティティ(CGI)、物理的セルアイデンティティ(PCI)、基準信号受信電力(RSRP)、基準信号受信品質(RSRQ)、および周波数ポイント情報のオプションのうちの任意の組合せを備える、請求項19に記載の方法。
【請求項２２】
前記UE測定データ収集基準が、
データ収集モード、データ報告モードおよびロギングトリガリングイベント、UE測定データ収集の期間、UE測定データ報告の期間、収集時間区分、収集停止のトリガ条件、選択されたUEのカバレージ、ならびにモバイル電話性能インデックスのオプションのうちの任意の組合せを備える、請求項16に記載の方法。
【請求項２３】
前記端末測定データ開始操作が、
トレースノースバウンドインターフェースのアクティブトレースジョブ(Active Trace Job)メッセージ、または、
性能管理ノースバウンドインターフェースの測定ジョブ作成(Create Measurement Job)メッセージ、または、
端末測定データ収集ノースバウンドインターフェースのメッセージである、請求項1に記載の方法。
【請求項２４】
前記IRP Managerによって、アクティベート済みトレースジョブ一覧(List Activated Trace Jobs)操作を前記IRP Agentに送信するステップと、
前記IRP Managerによって、測定を実行している端末の数を出力するステップとをさらに備える、請求項1に記載の方法。
【請求項２５】
前記HSSによって、前記UEの位置が分からないこと、前記UEが接続されていないこと、または前記UEがアイドル状態であることを示すコーズ値を搬送するトレースセッションアクティベーション応答を前記IRP Agentに送信するステップをさらに備える、請求項5に記載の方法。
【請求項２６】
前記IRP Agentによって、前記UEの位置がわからないこと、前記UEが接続されていないこと、または前記UEがアイドル状態であることを示すコーズ値を搬送する前記トレースセッションアクティベーション応答を前記IRP Managerに送信するステップをさらに備える、請求項25に記載の方法。
【請求項２７】
統合基準点マネージャ(IRP Manager)および統合基準点エージェント(IRP Agent)を備える、端末測定データを収集するためのシステムであって、
前記IRP Managerが、端末測定データ開始操作または端末測定データ停止操作を前記IRP Agentに送信するように構成されており、前記端末測定データ開始操作が、端末測定データ収集を開始するために使用されて、端末測定データを収集するために使用される構成パラメータを搬送し、前記端末測定データ停止操作が、端末測定データ収集の停止を命令するために使用され、
前記IRP Agentが、ネットワークを介して、端末測定データ収集の開始、または端末測定データ収集の終了をUEに通知するように構成されている、システム。
【請求項２８】
端末測定データを収集するために使用される前記構成パラメータ、または前記IRP Agentによって送信された端末測定停止インジケータを受信して、端末測定データを収集するために使用される前記構成パラメータ、または前記端末測定停止インジケータを前記ユーザ装置(UE)に転送するように構成されたホーム加入者サーバ(HSS)をさらに備える、請求項27に記載のシステム。
【請求項２９】
端末測定データを収集するために使用される前記構成パラメータ、あるいは前記IRP Agentによって前記HSSを通じて送信された、または前記IRP Agentによって直接送信された前記端末測定停止インジケータを受信して、端末測定データを収集するために使用される前記構成パラメータ、または前記端末測定停止インジケータを前記UEに転送するように構成されたモビリティ管理エンティティ(MME)またはSGSNをさらに備える、請求項27に記載のシステム。
【請求項３０】
端末測定データを収集するために使用される前記構成パラメータ、あるいは前記IRP Agentによって直接送信された、または前記HSS、MME、またはSGSNを通じて前記IRP Agentによって送信された端末測定停止インジケータを受信して、端末測定データを収集するために使用される前記構成パラメータ、または前記端末測定停止インジケータを前記UEに転送するように構成されたノードB/RNCをさらに備える、請求項27に記載のシステム。
【請求項３１】
端末測定データを収集するために使用される構成パラメータ、または端末測定停止インジケータを構成するように構成された統合基準点マネージャ(IRPManager)と、
端末測定データ開始操作または端末測定データ停止操作をIRP Agentに送信するように構成された送信ユニットであって、前記端末測定データ開始操作が、端末測定データ収集を開始するために使用されて、端末測定データを収集するために使用される前記構成パラメータを搬送し、前記端末測定データ停止操作が、端末測定データ収集の停止を命令するために使用されて、前記端末測定データインジケータを搬送し、したがって、前記IRP Agentが端末測定データを収集するために使用される前記構成パラメータまたは前記端末測定停止インジケータをUEに送信するようにする、送信ユニットとを備える、統合基準点マネージャシステム。
【請求項３２】
IRP Managerによって送信された端末測定データ開始操作または端末測定データ停止操作を受信するように構成された受信ユニットであって、前記端末測定データ開始操作が、端末測定データ収集を開始するために使用されて、端末測定データを収集するために使用される構成パラメータを搬送し、前記端末測定データ停止操作が、端末測定データ収集の停止を命令するために使用される受信ユニットと、
端末測定データ収集の開始、または端末測定データ収集の終了を、ネットワークを介してUEに通知するように構成された統合基準点エージェント(IRPAgent)とを備える、統合基準点エージェントシステム。
【請求項３３】
前記端末測定データ停止操作が端末測定停止インジケータを搬送し、前記IRPAgentがトレースセッションアクティベーションまたはトレースセッションデアクティベーションメッセージをHSS、MME、SGSN、eノードB、またはRNC送信するように構成され、
前記トレースセッションアクティベーションメッセージが、特定のユーザまたは装置のためのシグナリングトレース手順をトリガするために使用され、端末測定データを収集するために使用される前記構成パラメータを搬送し、前記トレースセッションデアクティベーションメッセージが、前記端末測定停止インジケータを搬送し、したがって、前記トレースセッションアクティベーションまたはトレースセッションデアクティベーションメッセージを受信する前記エンティティが、端末測定データを収集するために使用される前記構成パラメータ、または前記端末測定停止インジケータを前記UEに送信するようにする、請求項32に記載の統合基準点エージェントシステム。
【請求項３４】
前記IRP Agentが、セルトラフィックトレース(Cell Traffic Trace)メッセージを使用することによって端末測定データを収集するために使用される前記構成パラメータを前記UEに送信して、前記UEに前記端末測定データの測定を通知するように構成される、請求項32に記載の統合基準点エージェントシステム。
【請求項３５】
IRP Agentによって送信されたトレースセッションアクティベーションまたはトレースセッションデアクティベーションメッセージを受信するように構成された受信ユニットであって、前記トレースセッションアクティベーションメッセージが、特定のユーザまたは装置のためのシグナリングトレース手順をトリガするために使用され、端末測定データを収集するために使用される構成パラメータを搬送し、前記トレースセッションデアクティベーションメッセージが、端末測定データ収集の終了を命令するために使用される端末測定停止インジケータを搬送する受信ユニットと、
端末測定データを収集するために使用される前記構成パラメータ、または前記端末測定停止インジケータをMMEまたはSGSNを通じてUEに送信するように構成された送信ユニットとを備える、ホーム加入者サーバ。
【請求項３６】
トレースするべきユーザが前記ネットワークにアクセスすると、前記ユーザがトレーシングを必要としているかどうかをチェックするように構成されており、必要としている場合、前記送信ユニットが、Update Location Answerを使用することによって、端末測定データを収集するために使用される前記構成パラメータを前記MMEに送信して、前記MMEを通じて前記構成パラメータを前記UEにさらに送信するようにさらに構成される、請求項35に記載のホーム加入者サーバ。
【請求項３７】
前記UEが既に前記ネットワーク内に位置している場合、前記送信ユニットが加入者データ挿入(Insert subscriber data)または位置更新回答メッセージを使用することによって、端末測定データを収集するために使用される前記構成パラメータを前記MMEに送信して、前記MMEを通じて前記構成パラメータを前記UEにさらに送信するようにさらに構成される、請求項35に記載のホーム加入者サーバ。
【請求項３８】
端末測定データを収集するために使用される構成パラメータ、またはIRP Agentによって送信された端末測定停止インジケータを受信するように構成された受信ユニットと、
端末測定データ収集するために使用される構成パラメータ、または前記端末測定停止インジケータを、ノードBを通じてUEに送信するように構成された送信ユニットとを備える、モビリティ管理エンティティ。
【請求項３９】
端末測定データを収集するために使用される構成パラメータ、またはIRP Agentによって送信された端末測定停止インジケータを受信するように、およびUEによって返される端末測定データ報告を受信するように構成された受信ユニットと、
端末測定データ収集するために使用される前記構成パラメータ、または前記端末測定停止インジケータを前記UEに送信するように、および前記UEによって返された前記端末測定データ報告をトレースデータ収集エンティティに送信するように構成された送信ユニットとを備える、ノードB。
【請求項４０】
前記UEがハンドオーバ手順を経る際に、ハンドオーバコマンド内に端末測定データを収集するために使用される前記構成パラメータ、または前記端末測定停止インジケータを構成するように構成されており、前記送信ユニットが前記ハンドオーバコマンドを送信先ノードBに送信するようにする構成ユニットをさらに備える、請求項39に記載のノードB。
【請求項４１】
端末測定データ収集するために使用される構成パラメータ、またはノードBによって送信された端末測定停止インジケータを受信して、端末測定データ報告を前記ノードBに送信するように構成されたトランシーバと、
端末測定データを収集するために使用される前記構成パラメータによって端末測定データを測定するように、または前記端末測定停止インジケータによって前記端末測定データの測定を終了するように構成された測定ユニットとを備える、ユーザ装置。
【発明の詳細な説明】
【技術分野】
【０００１】
本発明は通信の分野に関し、より具体的には、端末測定データを収集するための方法およびシステムに関する。
【０００２】
本出願は、2010年2月22日に中国専利局に出願された中国特許出願第201010116841.0号「METHOD AND SYSTEM FOR COLLECTING TERMINAL MEASUREMENT DATA」の優先権を主張し、その全体を参照により本明細書に組み込む。
【背景技術】
【０００３】
たとえばモバイル通信用グローバルシステム(GSM(登録商標), Global System for Mobile Communications)、広帯域符号分割多元接続(WCDMA, Wideband Code Division Multiple Access Wireless)、符号分割多元接続(CDMA, Code Division Multiple Addressing)、およびワールドワイドインターオペラビリティフォーマイクロウェーブアクセス(Wimax, Worldwide Interoperability for Microwave Access)などのいくつかの通信システムでは、ネットワークを介する正常な通信を保証するために、ネットワーク要素データなどのいくつかのデータを収集する必要がある。
【０００４】
ユニバーサルモバイルテレコミュニケーションシステム(UMTS, Universal Mobile Telecommunication System)は、WCDMA無線インターフェース技術を採用する第3世代モバイル通信システムである。UMTSシステムは、通常WCDMA通信システムと呼ばれる。
【０００５】
たとえば、図1は従来技術におけるUMTSの概略的構造図である。ユニバーサルモバイルテレコミュニケーションシステム(UMTS, Universal Mobile Telecommunication System)は、無線アクセスネットワーク(Radio Access Network, RAN)、およびコアネットワーク(Core Network, CN)を含む、第2世代モバイル通信システムに類似した構造を採用している。無線アクセスネットワークは全ての無線関連機能を処理し、CNはUMTSシステム内の全ての音声コールおよびデータ接続を処理して、外部ネットワークとの交換およびルーティングの機能を実行する。論理的には、CNは回路交換ドメイン(Circuit Switched Domain, CS)とパケット交換ドメイン(Packet Switched Domain, PS)に分割される。
【０００６】
コアネットワークCNは、MSC/VLR、サービングGPRSサポートノード(SGSN, Serving GPRS Support Node)、HLR、ゲートウェイモバイルサービス交換センタ(GMSC, Gateway Mobile-services Switching Centre)、およびゲートウェイGPRSサポートノード(GGSN, Gateway GPRS Support Node)を含む。コアネットワークは、GMSCまたはGGSNを通じて外部ネットワーク(External Network)に接続できる。たとえば、コアネットワークは、GMSCを通じてパブリックランドモバイルネットワーク(PLMN, Public Land Mobile Network)、パブリック交換電話ネットワーク(PSTN, Public Switched Telephone Network)、または総合デジタル通信網(ISDN, Integrated Services Digital Network)に接続することもでき、GGSNを通じてインターネットに接続することもできる。
【０００７】
UMTSシステムは、ユニバーサル地上波無線アクセスネットワーク(UTRAN, Universal Terrestrial Radio Access Network)、CN、およびユーザ装置(User Equipment, UE)を含む。
【０００８】
図2は、従来技術におけるUTRANの概略的構造図である。UTRANは地上波無線アクセスネットワークであり、1つまたは複数の無線ネットワークサブシステム(RNS, Radio Network Subsystem)を含む。RNSは1つの無線ネットワークコントローラ(RNC, Radio Network Controller)、および1つまたは複数の基地局(ノードB)を含む。RNCとCNとの間のインターフェースはIuインターフェースであり、ノードBおよびRNCはIubインターフェースを通じて接続されている。UTRAN内では、無線ネットワークコントローラ(RNC)は、RNC間の直接物理的接続を使用することによって、または転送ネットワークを使用することによって接続を実行するIurインターフェースを通じて相互接続される。RNCは、RNCに接続された、またはRNCに関連するノードBの無線リソースを割り当てて制御する。ノードBは、IubインターフェースとUuインターフェースとの間でデータストリームの変換を実行し、また無線リソースを部分的に管理する。
【０００９】
ノードBは、WCDMAシステム内の基地局(または無線トランシーバ)であり、無線トランシーバおよびベースバンド処理装置を含む。ノードBは、標準的なIubインターフェースを通じてRNCと相互接続し、主にUuインターフェースの物理層プロトコル処理を実行する。ノードBの主な機能は、スペクトル拡散、変調、チャネルコーディングおよび逆拡散、復調、ならびにチャネルデコーディング、ならびにベースバンド信号と無線周波数信号との間の相互変換を含む。
【００１０】
RNCは、UTRANの無線リソースを制御する無線ネットワークコントローラである。RNCは、主にこのような機能を接続設定および切断、ハンドオーバ、マクロダイバーシチ結合、ならびに無線リソース管理制御として実行する。
【００１１】
将来のネットワークの競争力を維持するために、3GPPは、今後10年またはそれ以上の間のモバイルネットワーク上のアプリケーション要件を満たすために、アクセスネットワークのシステムアーキテクチャエボリューション(SAE, system architecture evolution)、およびロングタームエボリューション(LTE, Long Term Evolution)を含む、真新しいネットワーク進化アーキテクチャを提案する。進化型アクセスネットワークは、進化型ユニバーサル地上波無線アクセスネットワーク(E-UTRAN, Evolved Universal Terrestrial Radio Access Network)と呼ばれる。ネットワーク進化の目的は、遅延が少なく、データレートが高く、システム容量が大きく、カバー範囲が広く、低コストな全IPネットワークを提供することである。これは新しいネットワークアーキテクチャなので、現在のアーキテクチャの全てのノード、機能、および手順が実質的に変更される。
【００１２】
進化型パケットコアネットワークアーキテクチャは図3に示されており、3つの論理機能エンティティ、すなわちモビリティ管理エンティティ(Mobility Management Entity, MME)、サービングSAEゲートウェイ(Serving SAE GW)、およびパケットデータネットワークSAEゲートウェイ(PDN (Packet Data Network) SAE GW)を含む。
【００１３】
MMEは、現在のGPRS/UMTSシステム内のサービングGPRSサポートノード(SGSN)の制御プレーンに対応する、ユーザコンテキストおよびモビリティ状態管理、ならびに一時的ユーザアイデンティティ割当てを含む、制御プレーン上のモビリティ管理を担当する。
【００１４】
サービングSAE GWは、現在のGPRS/UMTSシステム内のSGSNおよびゲートウェイGPRSサポートノード(GGSN, Gateway GPRS Support Node)のデータプレーンに対応する、アイドル状態のダウンリンクデータへのページングの開始、ならびにIPベアラパラメータおよびイントラネットワークルーティング情報の管理および格納を担当する。
【００１５】
PDN SAE GWは、異なるアクセスシステム間のユーザプレーンアンカーポイントとして機能する。
【００１６】
ポリシーおよび課金ルール機能エンティティ(Policy and Charging Rule Function, PCRF)は、ポリシー制御および決定、ならびにストリーム課金制御のために使用される。
【００１７】
ホーム加入者サーバ(Home Subscriber Server, HSS)は、ユーザ加入情報を格納するために使用される。
【００１８】
E-UTRANのネットワーク構造は図4に示されており、S1-MMEインターフェースを通じてモビリティ管理エンティティ(Mobility Management Entity, MME)およびeNBが接続されており、S1-Uインターフェースを通じてサービングSAEゲートウェイ(Serving SAE GW)およびeNBが接続されており、X2インターフェースを通じて2つのeNBが接続されている。
【００１９】
従来のネットワーク最適化は、ドライブテストデータに基づく。ドライブテスタは、ネットワークのレベルおよび質などのデータを収集するために使用され、ネットワークのカバレージ、容量、QoS、およびモビリティに関連する問題を見つけるためにデータが分析される。このようにして、影響が出た領域に特にネットワーク最適化が実行される。
【００２０】
ネットワーク規模が常に増大する場合、経験だけに依存してネットワーク最適化を実行することはますます困難になる。さらに、ドライブテストルートの制約のために、ドライブテストデータは全てのネットワーク問題を発見できない場合がある。したがって、オペレータは自動ネットワーク最適化が必要である。自動ネットワーク最適化によって、オペレータのOPEXを最小化し、最小限の機器コストでネットワーク利用を最大化し、ネットワーク最適化人員への経験要求および依存を縮小して、ネットワーク最適化人員の仕事量を軽減できるようになる。
【００２１】
大部分が手作業を必要とする従来のドライブテストを縮小してデータをより効率的に収集するために、3GPPは従来のドライブテストデータ(端末測定データ)の主導による収集の代わりに、通常の商用端末による、ネットワーク最適化に必要なパラメータの自動報告を用いることを研究している。通常の商用端末による端末測定データの自動報告は、ドライブテストデータ(端末測定データ)を収集するためのMDT(Minimizing drive test,  ドライブテストの最小化)の基本方法として使用できる。
【００２２】
図5は、従来技術におけるユーザ装置トレーシング方法の概略的流れ図である。基本管理システム(EMS, Element Management System)は、特定のユーザまたは装置にシグナリングトレースを実行できるように、システム内の全てのネットワーク要素ノードをトレースするために、パラメータ構成をブロードキャストできる。
【００２３】
ネットワーク内のネットワーク要素ノードは、記録したトレースデータをトレースデータ収集エンティティに送信する。エンティティが特定のユーザのシグナリングトレースを収集した後、トレースデータの分析によってネットワーク内の障害および問題を評価して診断できる。
【００２４】
501. EMSがトレースセッションアクティベーション(Trace Session Activation)メッセージをHSSまたはMMEに送信する。
【００２５】
トレースセッションアクティベーションメッセージは、特定のユーザまたは装置のためのシグナリングトレース手順をトリガするために使用され、国際モバイル電話加入者識別番号(IMSI, International Mobile Subscriber Identity)または国際モバイル機器識別番号(IMEISV)、トレース参照識別番号(Trace Reference)、トリガリングイベント(Triggering events)、トレース深度(Trace Depth)、トレースするNEタイプのリスト(List of NE types to trace)、トレースインターフェースのリスト(List of Interfaces)、およびトレース収集エンティティのIPアドレス(IP address of Trace Collection Entity)を含む、トレース構成パラメータを搬送する。
【００２６】
502-504. HSSはトレース構成パラメータを格納する。トレースするべきユーザがネットワークにアクセスすると、ユーザはアタッチ要求(Attach Request)をネットワークに送信し、HSSに位置更新要求(Update Location Request)を送信して位置情報をアップデートする。
【００２７】
505. HSSは、ユーザがトレーシングを必要としているかどうかをチェックして、必要としている場合、位置更新回答(Update Location Answer)を使用することによって、トレース構成パラメータをMMEに送信する。
【００２８】
506. MMEはトレース構成パラメータを格納して、ユーザ特有のトレースロギングセッションを開始して、イニシャルコンテキストセットアップ要求(Initial Context Setup Request)を使用することによってeノードBにトレース構成パラメータを送信する。
【００２９】
eノードBはトレース構成パラメータを格納して、ユーザ特有のトレースロギングセッションを開始する。
【００３０】
しかしこの方法は、ネットワーク側でネットワーク要素用のユーザ特有のシグナリングデータトレースを実行するに過ぎず、ユーザ端末ではデータの収集および分析を実行できない。これにより、ネットワーク障害評価および分析の効果を制限してしまうので、ユーザが位置している無線環境を評価できなくなる。その結果、ネットワークカバレージ内の潜在的な問題、容量、QoS、およびモビリティを検出できなくなってしまう。
【発明の概要】
【発明が解決しようとする課題】
【００３１】
本発明の実施形態は、ネットワークが、端末によって報告された端末測定データを分析できるようにするために、端末が端末測定データを収集および報告できるようにする、端末測定データを収集するための方法およびシステム、統合基準点マネージャシステム、統合基準点エージェントシステム、ホーム加入者サーバ、モビリティ管理エンティティ、ノードB、ならびにユーザ装置を提供する。
【課題を解決するための手段】
【００３２】
一態様では、本発明は、
統合基準点マネージャ(IRP Manager)によって送信された端末測定データ開始操作または端末測定データ停止操作を統合基準点エージェント(IRP Agent)によって受信するステップであって、端末測定データ開始操作が、端末測定データ収集を開始するために使用されて、端末測定データを収集するために使用される構成パラメータを搬送し、端末測定データ停止操作が、端末測定データ収集の停止を命令するために使用されるステップを含む、端末測定データを収集するための方法を開示する。
【００３３】
他の態様では、本発明は、統合基準点マネージャ(IRP Manager)および統合基準点エージェント(IRP Agent)を含む、端末測定データを収集するためのシステムを開示し、
IRP Managerが端末測定データ開始操作または端末測定データ停止操作をIRP Agentに送信するように構成されており、端末測定データ開始操作が、端末測定データ収集を開始するために使用されて、端末測定データを収集するために使用される構成パラメータを搬送し、端末測定データ停止操作が、端末測定データ収集の停止を命令するために使用され、
IRP Agentが、ネットワークを介して、端末測定データ収集の開始、または端末測定データ収集の終了をUEに通知するように構成されている。
【００３４】
他の態様では、本発明は、
端末測定データを収集するために使用される構成パラメータ、または端末測定停止インジケータを構成するように構成された統合基準点マネージャ(IRPManager)と、
端末測定データ開始操作または端末測定データ停止操作をIRP Agentに送信するように構成された送信ユニットであって、IRP Agentが端末測定データを収集するために使用される構成パラメータ、または端末測定停止インジケータをUEに送信できるように、端末測定データ開始操作が、端末測定データ収集を開始するために使用されて、端末測定データを収集するために使用される構成パラメータを搬送し、端末測定データ停止操作が、端末測定データ収集の停止を命令するために使用されて、端末測定データインジケータを搬送する送信ユニットとを含む、統合基準点マネージャシステムを開示する。
【００３５】
他の態様では、本発明は、
IRP Managerによって送信された端末測定データ開始操作または端末測定データ停止操作を受信するように構成された受信ユニットであって、端末測定データ開始操作が、端末測定データ収集を開始するために使用されて、端末測定データを収集するために使用される構成パラメータを搬送し、端末測定データ停止操作が、端末測定データ収集の停止を命令するために使用される受信ユニットと、
ネットワークを介して、端末測定データ収集の開始、または端末測定データ収集の終了をUEに通知するように構成された統合基準点エージェント(IRPAgent)とを含む、統合基準点エージェントシステムを開示する。
【００３６】
他の態様では、本発明は、
IRP Agentによって送信されたトレースセッションアクティベーションまたはトレースセッションデアクティベーションメッセージを受信するように構成された受信ユニットであって、トレースセッションアクティベーションメッセージが、特定のユーザまたは装置のためのシグナリングトレース手順をトリガするために使用され、端末測定データを収集するために使用される構成パラメータを搬送し、トレースセッションデアクティベーションメッセージが、端末測定データ収集の終了を命令するために使用される端末測定停止インジケータを搬送する受信ユニットと、
端末測定データを収集するために使用される構成パラメータ、または端末測定停止インジケータを、MMEまたはSGSNを通じてUEに送信するように構成された送信ユニットとを含む、ホーム加入者サーバを開示する。
【００３７】
他の態様では、本発明は、
端末測定データを収集するために使用される構成パラメータ、またはIRP Agentによって送信された端末測定停止インジケータを受信するように構成された受信ユニットと、
端末測定データ収集するために使用される構成パラメータ、または端末測定停止インジケータを、ノードBを通じてUEに送信するように構成された送信ユニットとを含む、モビリティ管理エンティティを開示する。
【００３８】
他の態様では、本発明は、
端末測定データを収集するために使用される構成パラメータ、またはIRP Agentによって送信された端末測定停止インジケータを受信するように、およびUEによって返される端末測定データ報告を受信するように構成された受信ユニットと、
端末測定データ収集するために使用される構成パラメータ、または端末測定停止インジケータをUEに送信するように、およびデータ収集エンティティをトレースするために、UEによって返された端末測定データ報告を送信するように構成された送信ユニットとを含む、ノードBを開示する。
【００３９】
他の態様では、本発明は、
端末測定データ収集するために使用される構成パラメータ、またはノードBによって送信された端末測定停止インジケータを受信して、端末測定データ報告をノードBに送信するように構成されたトランシーバと、
端末測定データを収集するために使用される構成パラメータによって端末測定データを測定するように、または端末測定停止インジケータによって端末測定データの測定を終了するように構成された測定ユニットとを含む、ユーザ装置を開示する。
【００４０】
上述の技術的ソリューションによって、端末は端末測定データを収集および報告できるようになり、ネットワークが端末によって報告された端末測定データを分析して、ネットワーク内のカバレージ、容量、QoS、およびモビリティに関連する問題をより正確に検出して突き止められるようになる。
【００４１】
本発明の技術的ソリューションをより詳しく説明するために、本発明の実施形態の説明において必要な添付の図面を簡単に説明する。添付の図面は、本発明のいくつかの例示的実施形態を示しているに過ぎないことは明らかである。当業者はあらゆる創造的努力なしにこれらの図面から他の図面を得ることができる。
【図面の簡単な説明】
【００４２】
【図１】従来技術におけるUMTSの概略的構造図である。
【図２】従来技術におけるUTRANの概略的構造図である。
【図３】従来技術における進化型パケットコアネットワークの概略的アーキテクチャの図である。
【図４】従来技術におけるE-UTRANの概略的構造図である。
【図５】従来技術におけるユーザ装置トレーシング方法の概略的流れ図である。
【図６】本発明の実施形態による、端末測定データを収集するためのシステム600の簡単な概略図である。
【図７】本発明の他の実施形態による、端末測定データを収集するための方法の概略的流れ図である。
【図８】本発明の他の実施形態による、端末測定データを収集するための方法の概略的流れ図である。
【図９】本発明の他の実施形態による、端末測定データを収集するための方法の概略的流れ図である。
【図１０】本発明の他の実施形態による、端末測定データを収集するための方法の概略的流れ図である。
【図１１】本発明の他の実施形態による、端末測定データを収集するための方法の概略的流れ図である。
【図１２】本発明の他の実施形態による、端末測定データを収集するための方法の概略的流れ図である。
【図１３】本発明の他の実施形態による、端末測定データ構成の転送処理の概略図である。
【図１４】本発明の他の実施形態による、端末測定データ収集を終了する処理の概略図である。
【図１５】本発明の他の実施形態による、ハンドオーバ手順の間の端末測定データの転送処理の概略図である。
【図１６】本発明の他の実施形態による、ハンドオーバ手順の間の端末測定データの転送処理の概略図である。
【図１７】本発明の他の実施形態による、LTEネットワークアーキテクチャの簡単な概略図である。
【図１８】本発明の他の実施形態による、NMSの概略的構造図である。
【図１９】本発明の他の実施形態による、EMSの概略的構造図である。
【図２０】本発明の他の実施形態による、HSSの概略的構造図である。
【図２１】本発明の他の実施形態による、MMEの概略的構造図である。
【図２２】本発明の他の実施形態による、ノードBの概略的構造図である。
【図２３】本発明の他の実施形態による、ユーザ装置の概略的構造図である。
【図２４】本発明の他の実施形態による、トレースジョブを問い合わせるための方法の概略的流れ図である。
【発明を実施するための形態】
【００４３】
本発明を完全に理解するために、限定ではなく説明の目的で、特定のシステム構造、インターフェース、および技術の詳細を提供する。このような詳細なしに他の実施形態において本発明を実行できることが、当業者には明らかである。他の環境では、一般に知られている装置、回路、および方法の詳細な説明は提供されないので、本発明の説明は不要な詳細によって邪魔されない。
【００４４】
本発明の技術的ソリューションは、GSM(登録商標)、符号分割多元接続(CDMA, Code Division Multiple Access)システム、TDS-CDMA、CDMA2000、Wimax、広帯域符号分割多元接続(WCDMA, Wideband Code Division Multiple Access Wireless)、汎用パケット無線サービス(GPRS, General Packet Radio Service)、およびロングタームエボリューション(LTE, Long Term Evolution)などのあらゆるタイプの通信システムに適用できる。モバイルユーザ(UE, User Equipment)またはモバイルユーザ装置とも呼ばれるモバイル端末(Mobile Terminal)は、無線アクセスネットワーク(RAN, Radio Access Networkなど)を介して1つまたは複数のコアネットワークと通信できる。モバイル端末は、無線アクセスネットワークと音声および/またはデータを交換する、モバイル電話(またはセルラー式電話)、およびポータブル、ポケット、ハンドヘルド、コンピュータ内蔵、または車載モバイル装置などのモバイル端末を備えたコンピュータなどの移動局でよい。
【００４５】
説明を簡単にするために、以下の実施形態の詳細な説明の一例としてLTEを使用する。
【００４６】
図6は、本発明の実施形態による、端末測定データを収集するためのシステム600の簡単な概略図である。システム600は、ネットワーク管理システム(NMS, Network Management System) 601、要素管理システム(EMS, Element Management System) 603、ネットワーク要素(NE, Network Element) 605、eノードB/RNC 606、MME608、ネットワーク要素607、およびHSS610を含む。
【００４７】
NMS601はEMS603およびネットワーク要素605に接続されている。EMS 603はネットワーク要素605およびネットワーク要素607に接続されている。
【００４８】
ユーザ装置602およびユーザ装置604は、eノードB/RNC606を通じてMME 608と通信できるように接続できる。MME 608も、HSS 610と通信できるように接続されている。
【００４９】
NMS 601はEMS 603を通じてMME 608と通信できるように接続されている。EUTRANまたはUTRAネットワークでは、無線ネットワーク内のネットワーク要素をネットワーク管理システム601によって一律に管理できる。たとえば、NMS601は、ネットワーク要素605の統合基準点エージェント(Integration Reference Point Agent, IRPAgent)に通信できるように接続されており、Itf-Nインターフェースを通じてEMS603の統合基準点エージェント(Integration Reference Point Agent, IRPAgent)に接続されている、統合基準点マネージャ(Integration Reference Point Manager, IRPManager)を含む。EMS 603のIRPAgentはネットワーク607と通信できるように接続されている。NMS 601はIRPManagerを通じてネットワーク要素605およびネットワーク要素607を制御する。
【００５０】
NMS 601は、端末測定データ開始操作または端末測定データ停止操作をEMS603に送信するように構成されており、端末測定データ開始操作は端末測定データ収集を開始するために使用されて、端末測定データを収集するために使用される構成パラメータを搬送し、端末測定データ停止操作は端末測定データ収集の停止を命令するために使用されて、端末測定停止インジケータを搬送する。
【００５１】
EMS 603は、端末測定データを収集するために使用される構成パラメータ、または端末測定停止インジケータをUEに、たとえばネットワークを介してユーザ装置602またはユーザ装置604送信するように構成されており、UEが端末測定データを収集するために使用される構成パラメータによって端末測定データ収集を開始できるように、または端末測定停止インジケータによって端末測定データ収集を終了できるようにする。
【００５２】
図7は、本発明の他の実施形態による、端末測定データを収集するための方法の概略的流れ図であり、以下を含む。
【００５３】
701. 統合基準点エージェント(IRP Agent)が、統合基準点マネージャ(IRP Manager)によって送信された端末測定データ開始操作または端末測定データ停止操作を受信し、端末測定データ開始操作は端末測定データ収集を開始するために使用されて、端末測定データを収集するために使用される構成パラメータを搬送し、端末測定データ停止操作は端末測定データ収集の停止を命令するために使用される。
【００５４】
任意で、端末測定データ停止操作は端末測定停止インジケータを搬送できる。
【００５５】
702. 統合基準点エージェント(IRP Agent)が、端末測定データを収集するために使用される構成パラメータ、または端末測定停止インジケータを、ネットワークを介してユーザ装置(UE)に送信し、UEが端末測定データを収集するために使用される構成パラメータによって端末測定データ収集を開始できるように、または端末測定停止インジケータによって端末測定データ収集を停止できるようにする。
【００５６】
端末測定データ停止操作が端末測定停止インジケータを搬送しない場合、統合基準点エージェント(IRP Agent)は、端末測定データ停止操作によってUEに端末測定データ収集の停止を通知する。
【００５７】
端末測定データ停止操作は端末測定停止インジケータを搬送し、その詳細は以下の通りである。
【００５８】
たとえば、IRP Agentが、端末測定データを収集するために使用される構成パラメータ、または端末測定停止インジケータを、ホーム加入者サーバ(HSS)、モビリティ管理エンティティ(MME)、サービングGPRSサポートノード(SGSN)、モバイルスイッチングセンタ(MSC)、ノードB、または無線ネットワークコントローラを通じてUEに送信して、端末測定データ収集手順を開始する。
【００５９】
たとえば、IRP Agentはトレースセッションアクティベーションまたはトレースセッションデアクティベーションメッセージをホーム加入者サーバ(HSS)、MME、SGSN、MSC、ノードB、または無線ネットワークコントローラに送信し、トレースセッションアクティベーションメッセージは端末測定データを収集するために使用される構成パラメータを搬送し、トレースセッションデアクティベーションメッセージは端末測定停止インジケータを搬送する。
【００６０】
本発明の他の実施形態では、IRP ManagerはIRP Agentにアクティベート済みトレースジョブ一覧(List Activated Trace Jobs)操作も送信し、IRP Agentは測定を実行している端末の数を出力する。
【００６１】
HSSは、UEの位置が分からないこと、UEが接続されていないこと、またはUEがアイドル状態であることを示すコーズ値(cause value)を搬送するトレースセッションアクティベーション応答をIRP Agentに送信する。IRP Agentは、UEの位置がわからないこと、UEが接続されていないこと、またはUEがアイドル状態であることを示すコーズ値を搬送するトレースセッションアクティベーション応答をIRP Managerに送信する。
【００６２】
上述の技術的ソリューションによれば、端末測定データ構成の制御コマンドを配信でき、ネットワーク要素およびユーザ装置から端末測定データを収集できる。収集された端末測定データは、領域内の信号カバレージ状態を反映するために使用でき、またネットワークプランニングおよびネットワーク最適化パラメータを調整するための基準として使用できる。
【００６３】
図8は、本発明の他の実施形態による、端末測定データを収集するための方法の概略的流れ図であり、シグナリングトレース手順に基づいて単一のユーザ端末の測定データを収集する処理であり、UEがネットワークにアクセスする前のMDT Configurationの転送処理を説明する。
【００６４】
801. IRPManagerが端末測定データ開始操作(MDT Data Request)をIRPAgentに送信する。
【００６５】
端末測定データ開始操作は、端末測定データ収集を開始するために使用され、端末測定データを収集するために使用される構成パラメータ(MDT Configuration)を搬送する。
【００６６】
たとえば、端末測定データ開始操作は、トレースノースバウンドインターフェース(trace IRP)のアクティブトレースジョブ(Active Trace Job)メッセージでもよく、性能管理ノースバウンドインターフェース(PMIRP)の測定ジョブ作成(Create Measurement Job)メッセージでもよく、端末測定データ収集ノースバウンドインターフェース(MDTRP)のメッセージでもよい。
【００６７】
802. IRP AgentのIRPAgentは、トレースセッションアクティベーション(Trace Session Activation)メッセージをHSSに送信する。
【００６８】
トレースセッションアクティベーションメッセージは、特定のユーザまたは装置のためのシグナリングトレース手順をトリガするために使用され、端末測定データを収集するために使用される構成パラメータ(MDT Configuration)を搬送する。
【００６９】
任意で、HSSはトレース構成パラメータを格納し、構成パラメータは端末測定データを収集するために使用される。
【００７０】
本発明の他の実施形態では、IRP AgentのIRPAgentはトレースセッションアクティベーション(Trace Session Activation)メッセージをMME/SGSN(802b)またはeノードB/RNC (802c)に送信でき、トレースセッションアクティベーションメッセージは端末測定データを収集するために使用される構成パラメータ(MDT Configuration)を搬送する。説明を簡単にするために、この実施形態では、IRP AgentのIRPAgentはトレースセッションアクティベーション(Trace Session Activation)メッセージをHSSに送信し、これを説明のための例とする。
【００７１】
803-805. トレースするべきユーザがネットワークにアクセスすると、ユーザはアタッチ要求(Attach Request)をネットワークに送信し、その間にユーザ自身の位置情報をHSSにアップデートする。
【００７２】
806. HSSは、ユーザがトレーシングを必要としているかどうかをチェックして、必要としている場合、位置更新回答(Update Location Answer)を使用することによって、端末測定データを収集するために使用される構成パラメータをMMEまたはSGSN(以下では、説明を簡単にするためにMME/SGSNと記す)に送信する。
【００７３】
807. 端末測定データを収集するために使用される構成パラメータを受信しているエンティティ、たとえばMME/SGSNは、ユーザ特有のトレーシングロギングセッションを開始し、その間に、をイニシャルコンテキストセットアップ要求(Initial Context Setup Request)またはCN呼出しトレース(CN Invoke Trace)メッセージを使用することによって、端末測定データを収集するために使用される構成パラメータをeノードBに送信する。
【００７４】
任意で、MMEは端末測定データを収集するために使用される構成パラメータをさらに格納する。
【００７５】
808. eノードBは、無線リソース制御シグナリング(RRC Signaling)をUEに送信することによって、ユーザ特有のトレースロギングセッションを開始する。
【００７６】
eノードBは、端末測定データを収集するために使用される構成パラメータをUEに送信して、UEに端末測定データを測定するよう命令する。
【００７７】
任意で、eノードBは端末測定データを収集するために使用される構成パラメータをさらに格納する。
【００７８】
809. UEは、端末測定データ設定完了メッセージをeノードBに送信する。このステップは任意である。
【００７９】
810-811. UEは端末測定データ報告(MDT Data Report)をeノードBに送信し、eノードBはその報告をトレースデータ収集エンティティに転送する。
【００８０】
本発明の他の実施形態では、トレースデータ収集エンティティはIRP Agent内に位置することができ、IRP Agentは端末測定データ報告をIRP Managerにさらに送信できる。
【００８１】
上述の技術的ソリューションによれば、端末測定データ構成の制御コマンドを配信でき、ネットワーク要素およびユーザ装置から端末測定データを収集できる。収集された端末測定データは、領域内の信号カバレージ状態を反映するために使用でき、またネットワークプランニングおよびネットワーク最適化パラメータを調整するための基準として使用できる。
【００８２】
図9は、本発明の他の実施形態による、端末測定データを収集するための方法の概略的流れ図であり、シグナリングトレース手順に基づいて単一のユーザ端末の測定データを収集する処理であり、UEがネットワーク内に位置する場合のMDT Configurationの転送処理を説明する。
【００８３】
900. UEは、アタッチ(attach)手順を使用することによって既にネットワークにアクセスしている。
【００８４】
901. IRP ManagerのIRPManagerは、端末測定データ開始操作(MDT Data Request)をIRP AgentのIRPAgentに送信して端末測定データの収集を要求し、メッセージは端末測定データを収集するために使用される構成パラメータを搬送する。
【００８５】
たとえば、IRP ManagerのIRPManagerは端末測定データ開始操作(MDT Data Request)をIRP AgentのIRPAgentに送信する。端末測定データ開始操作は、端末測定データ収集を開始するために使用され、端末測定データを収集するために使用される構成パラメータ(MDT Configuration)を搬送する。
【００８６】
902. IRP AgentのIRPAgentは、トレースセッションアクティベーション(Trace Session Activation)メッセージをHSSに送信する。
【００８７】
トレースセッションアクティベーションメッセージは、特定のユーザまたは装置のためのシグナリングトレース手順をトリガするために使用され、パブリック構成パラメータに加えてMDT用の構成パラメータを搬送する。
【００８８】
本発明の他の実施形態では、IRP AgentのIRPAgentはトレースセッションアクティベーション(Trace Session Activation)メッセージをMME/SGSN(902b)またはeノードB/RNC (902c)に送信でき、トレースセッションアクティベーションメッセージは、端末測定データを収集するために使用される構成パラメータ(MDT Configuration)を搬送する。説明を簡単にするために、この実施形態では、IRP AgentのIRPAgentはトレースセッションアクティベーション(Trace Session Activation)メッセージをHSSに送信し、これを説明のための例とする。
【００８９】
903. HSSが、加入者データ挿入(Insert subscriber data)または位置更新回答(Update Location Answer)メッセージを使用することによって、端末測定データを収集するために使用される構成パラメータをMME/SGSNに送信する。
【００９０】
任意で、HSSはトレース構成パラメータ、および端末測定データを収集するために使用される構成パラメータをさらに格納する。
【００９１】
904. MME/SGSNはユーザ特有のトレースロギングセッションを開始し、トレース開始(Trace Start)メッセージを使用することによって、端末測定データを収集するために使用される構成パラメータをeノードBに送信する。
【００９２】
任意で、MMEは端末測定データを収集するために使用される構成パラメータをさらに格納する。
【００９３】
905. eノードBはユーザ特有のトレースロギングセッションを開始し、RRCシグナリングを使用することによって端末測定データを収集するために使用される構成パラメータをUEに送信して、UEに端末測定データを測定するよう命令する。
【００９４】
任意で、eノードBは端末測定データを収集するために使用される構成パラメータを格納する。
【００９５】
906. UEは、端末測定データ設定完了メッセージをeノードBに送信する。このステップは任意である。
【００９６】
907-908. UEは端末測定データ報告をeノードBに送信し、eノードBはその報告をトレースデータ収集エンティティに転送する。
【００９７】
本発明の他の実施形態では、トレースデータ収集エンティティはIRP Agent内に位置することができ、IRP Agentは端末測定データ報告をIRP Managerにさらに送信できる。
【００９８】
上述の技術的ソリューションによれば、端末測定データ構成の制御コマンドを配信でき、ネットワーク要素およびユーザ装置から端末測定データを収集できる。収集された端末測定データは、領域内の信号カバレージ状態を反映するために使用でき、またネットワークプランニングおよびネットワーク最適化パラメータを調整するための基準として使用できる。
【００９９】
図10は、本発明の他の実施形態による、端末測定データを収集するための方法の概略的流れ図であり、シグナリングトレース手順に基づいて単一のユーザ端末の測定データを収集する処理であり、MMEが端末測定データの収集をUEに通知する場合の処理を説明する。
【０１００】
1001. IRP ManagerのIRPManagerは、端末測定データ開始操作(MDT Data Request)をIRP AgentのIRPAgentに送信する。
【０１０１】
端末測定データ開始操作は、端末測定データ収集を開始するために使用され、端末測定データを収集するために使用される構成パラメータを搬送する。
【０１０２】
1002. IRP AgentのIRPAgentは、トレースセッションアクティベーション(Trace Session Activation)メッセージをHSSに送信する。
【０１０３】
トレースセッションアクティベーションメッセージは、特定のユーザまたは装置のためのシグナリングトレース手順をトリガするために使用され、パブリック構成パラメータに加えて端末測定データを収集するために使用される構成パラメータ(MDT Configuration)を搬送する。任意で、HSSはトレース構成パラメータ、および端末測定データを収集するために使用される構成パラメータをさらに格納する。
【０１０４】
本発明の他の実施形態では、IRP AgentのIRPAgentはトレースセッションアクティベーション(Trace Session Activation)メッセージをMME/SGSN(1002b)またはeノードB/RNC(1002c)に送信でき、トレースセッションアクティベーションメッセージは端末測定データを収集するために使用される構成パラメータ(MDT Configuration)を搬送する。説明を簡単にするために、この実施形態では、IRP AgentのIRPAgentはトレースセッションアクティベーション(Trace Session Activation)メッセージをHSSに送信し、これを説明のための例とする。
【０１０５】
1003-1005. トレースするべきユーザがネットワークにアクセスすると、ユーザはアタッチ要求(Attach Request)をネットワークに送信し、その間にユーザ自身の位置情報をHSSにアップデートする。
【０１０６】
1006. HSSは、ユーザがトレーシングを必要としているかどうかをチェックして、必要としている場合、位置更新回答(Update Location Answer)を使用することによって、端末測定データを収集するために使用される構成パラメータをMME/SGSNに送信する。
【０１０７】
1007. アタッチ手順が続けられる。
【０１０８】
1008. MME/SGSNが、非アクセス層(NAS)シグナリングを使用することによって、端末測定データを収集するために使用される構成パラメータをUEに送信する。
【０１０９】
1009. UEは、NASシグナリングを使用することによって端末測定データ設定完了メッセージをMME/SGSNに送信する。このステップは任意である。
【０１１０】
1010-1011. UEは端末測定データ報告(MDT Data Report)をeノードBに送信し、eノードBはその報告をトレースデータ収集エンティティに転送する。
【０１１１】
本発明の他の実施形態では、トレースデータ収集エンティティはIRP Agent内に位置することができ、IRP Agentは端末測定データ報告をIRP Managerにさらに送信できる。
【０１１２】
上述の技術的ソリューションによれば、端末測定データ構成の制御コマンドを配信でき、ネットワーク要素およびユーザ装置から端末測定データを収集できる。収集された端末測定データは、領域内の信号カバレージ状態を反映するために使用でき、またネットワークプランニングおよびネットワーク最適化パラメータを調整するための基準として使用できる。
【０１１３】
本発明の他の実施形態では、図7、図8、図9、および図10に対応する実施形態における端末測定データを収集するために使用される構成パラメータは、複数のユーザ端末の測定データを収集する機能を実装するために、ユーザアイデンティティリストを含むことができる。
【０１１４】
図11は、本発明の他の実施形態による、端末測定データを収集するための方法の概略的流れ図であり、管理トレース手順に基づいて複数のユーザ端末の測定データを収集する処理であり、IRP AgentのIRPAgentが端末測定データを収集するために使用される構成パラメータをノードBに送信する処理を説明する。
【０１１５】
1101. IRP ManagerのIRPManagerは、端末測定データ開始操作(MDT Data Request)をIRP AgentのIRPAgentに送信する。
【０１１６】
端末測定データ開始操作は、端末測定データ収集を開始するために使用され、メッセージはパブリック構成パラメータおよびMDT用の構成パラメータを搬送する。
【０１１７】
1102. IRP AgentのIRPAgentは、セルトラフィックトレース(Cell Traffic Trace)メッセージをeノードBに送信する。
【０１１８】
セルトラフィックトレースメッセージは、特定のセル上のシグナリングトレースをトリガするために使用される。
【０１１９】
1103. eノードBは端末測定データ収集構成をローカルセル内のUEに配信する。
【０１２０】
1104-1105. UEは端末測定データ報告をeノードBに送信し、eノードBはその報告をトレースデータ収集エンティティに転送する。
【０１２１】
本発明の他の実施形態では、トレースデータ収集エンティティはIRP Agent内に位置することができ、IRP Agentは端末測定データ報告をIRP Managerにさらに送信できる。
【０１２２】
上述の技術的ソリューションによれば、端末測定データ構成の制御コマンドを配信でき、ネットワーク要素およびユーザ装置から端末測定データを収集できる。収集された端末測定データは、領域内の信号カバレージ状態を反映するために使用でき、またネットワークプランニングおよびネットワーク最適化パラメータを調整するための基準として使用できる。
【０１２３】
図12は、本発明の他の実施形態における、端末測定データを収集するための方法の概略的流れ図であり、ページング手順に基づいて単一のユーザ端末の測定データを収集する処理であり、UEがページングされる場合の、MDT Configurationの転送処理を説明する。
【０１２４】
1201. IRP ManagerのIRPManagerは、端末測定データ開始操作(MDT Data Request)をIRP AgentのIRPAgentに送信する。
【０１２５】
端末測定データ開始操作は、端末測定データ収集を開始するために使用され、端末測定データを収集するために使用される構成パラメータを搬送する。
【０１２６】
1202. IRP AgentのIRPAgentは、トレースセッションアクティベーション(Trace Session Activation)メッセージをHSSに送信する。
【０１２７】
トレースセッションアクティベーションメッセージは、特定のユーザまたは装置のためのシグナリングトレース手順をトリガするために使用され、端末測定データを収集するために使用される構成パラメータを搬送する。任意で、HSSはトレース構成パラメータ、および端末測定データを収集するために使用される構成パラメータを格納する。
【０１２８】
本発明の他の実施形態では、IRP AgentのIRPAgentはトレースセッションアクティベーション(Trace Session Activation)メッセージをMME/SGSN(1202b)またはeノードB/RNC(1202c)に送信でき、トレースセッションアクティベーションメッセージは端末測定データを収集するために使用される構成パラメータ(MDT Configuration)を搬送する。説明を簡単にするために、この実施形態では、IRP AgentのIRPAgentはトレースセッションアクティベーション(Trace Session Activation)メッセージをHSSに送信し、これを説明のための例とする。
【０１２９】
1203. HSSはMDT用のトレース呼出し(Trace Invoke for MDT)メッセージをMME/SGSNに送信する。トレース呼出しメッセージは、端末測定データを収集するために使用される構成パラメータを搬送する。
【０１３０】
1204. MME/SGSNはページング要求(Paging Request)をeノードB/RNCに送信する。
【０１３１】
1205. eノードB/RNCはUEのページング(Paging)を開始する。
【０１３２】
1206. ページングに応答して、UEはページング応答、たとえばサービス要求(Service Request)をMME/SGSNに送信する。
【０１３３】
1207. MME/SGSNは、イニシャルコンテキストセットアップ要求(Initial Context Setup Request)を使用することによって、端末測定データを収集するために使用される構成パラメータをeノードB/RNCに送信する。
【０１３４】
任意で、MMEは端末測定データを収集するために使用される構成パラメータをさらに格納する。
【０１３５】
1208. eノードBは無線リソース制御シグナリング(RRC Signaling)をUEに送信する。
【０１３６】
RRCシグナリングは、端末測定データを収集するために使用される構成パラメータを搬送する。eノードBは、端末測定データを収集するために使用される構成パラメータをUEに送信して、UEに端末測定データを測定するよう命令する。
【０１３７】
任意で、eノードBは端末測定データを収集するために使用される構成パラメータをさらに格納する。
【０１３８】
1209. UEは、RRCシグナリングを使用することによって端末測定データ設定完了メッセージをeノードBに送信する。このステップは任意である。
【０１３９】
1210-1211. UEは端末測定データ報告(MDT Data Report)をeノードBに送信し、eノードBはその報告をトレースデータ収集エンティティに転送する。
【０１４０】
本発明の他の実施形態では、トレースデータ収集エンティティはIRP Agent内に位置することができ、IRP Agentは端末測定データ報告をIRP Managerにさらに送信できる。
【０１４１】
本発明の他の実施形態では、UEが接続されていないかアイドル状態の場合、端末測定データ構成の転送処理は以下の通りでよい。
【０１４２】
図13は、本発明の他の実施形態による、端末測定データ構成の転送処理の概略図であり、UEが接続されていないかアイドル状態の場合の端末測定データ構成の転送処理を説明する。
【０１４３】
1301. IRP ManagerのIRPManagerは、端末測定データ開始操作(MDT Data Request)をIRP AgentのIRPAgentに送信する。
【０１４４】
端末測定データ開始操作は、端末測定データ収集を開始するために使用され、端末測定データを収集するために使用される構成パラメータを搬送する。
【０１４５】
1302. IRP AgentのIRPAgentは、トレースセッションアクティベーション(Trace Session Activation)メッセージをHSSに送信する。
【０１４６】
トレースセッションアクティベーションメッセージは、特定のユーザまたは装置のためのシグナリングトレース手順をトリガするために使用され、端末測定データを収集するために使用される構成パラメータを搬送する。任意で、HSSはトレース構成パラメータ、および端末測定データを収集するために使用される構成パラメータを格納する。
【０１４７】
本発明の他の実施形態では、IRP AgentはトレースセッションアクティベーションメッセージをMME、SGSN、eノードB、またはRNCに送信でき、トレースセッションアクティベーションメッセージは端末測定データを収集するために使用される構成パラメータを搬送する。説明を簡単にするために、HSSはこの実施形態を示すための例として使用される。
【０１４８】
1303. HSSはトレースセッションアクティベーション応答(Trace Session Activation Response)をIRP AgentのIRPAgentに送信する。
【０１４９】
UEは接続されていないかアイドル状態なので、HSSはトレースセッションアクティベーション応答をIRP AgentのIRPAgentに送信して、IRP AgentにUEの状態情報を通知する。
【０１５０】
1304. IRP AgentのIRPAgentは端末測定データ応答をIRP ManagerのIRPManagerに送信する。
【０１５１】
本発明の他の実施形態では、UEの端末測定データの測定を終了する必要がある場合、その処理は端末測定データ収集を終了する処理の概略図である図14に示される処理でよい。詳細は以下の通りである。
【０１５２】
1401. IRP ManagerのIRPManagerは、端末測定データ停止要求(MDT Data Stop)をIRP AgentのIRPAgentに送信する。
【０１５３】
端末測定データ停止要求は、端末測定停止インジケータ(MDT stop indicator)を搬送する。
【０１５４】
1402. IRP AgentのIRPAgentはトレースセッションデアクティベーション(Trace Session Deactivation)メッセージをHSSに送信する。
【０１５５】
トレースセッションデアクティベーションメッセージは、端末測定停止インジケータを搬送する。
【０１５６】
本発明の他の実施形態では、IRP AgentのIRPAgentは、トレースセッションデアクティベーションメッセージをMME/SGSN (1402b)またはeノードB/RNC(1402c)に送信でき、トレースセッションデアクティベーションメッセージは端末測定停止インジケータ(MDT stop indicator)を搬送する。説明を簡単にするために、この実施形態では、IRP AgentのIRPAgentはトレースセッションデアクティベーションメッセージをHSSに送信し、これを説明のための例とする。
【０１５７】
1403. HSSはトレースセッションデアクティベーションメッセージをMME/SGSNに送信する。
【０１５８】
トレースセッションデアクティベーションメッセージは端末測定停止インジケータを搬送する。
【０１５９】
1404. MME/SGSNはeノードB/RNCへのデトレース(de-trace)を開始する。
【０１６０】
1405. eノードBは無線リソース制御シグナリング(RRC Signaling)をUEに送信する。
【０１６１】
RRCシグナリングは端末測定停止インジケータを搬送する。eノードBは端末測定停止インジケータをUEに送信して、UEに端末測定データの測定を終了するよう命令する。
【０１６２】
任意で、eノードBは端末測定停止インジケータ(MDT stop indicator)をさらに格納する。
【０１６３】
1406. UEは、RRCシグナリングを使用することによって、ドライブテスト停止設定完了メッセージ(MDT Stop Cmplt)をeノードBに送信する。
【０１６４】
本発明の他の実施形態では、図7から12に示した実施形態に対応して、端末測定データ開始操作はトレースノースバウンドインターフェースのアクティブトレースジョブ(Active Trace Job)メッセージでもよく、性能管理ノースバウンドインターフェースの測定ジョブ作成(Create Measurement Job)メッセージでもよく、端末測定データ収集ノースバウンドインターフェースのメッセージでもよい。IRP Managerは、以下の3つの方法で端末測定データ収集要求をIRP Agentに送信できる。
【０１６５】
方法1:トレースノースバウンドインターフェースのコマンドを再利用する。
【０１６６】
表1は、端末測定データを収集するために使用される特定の構成パラメータ、およびその意味を一覧にしている。
【０１６７】
【表１】
2013520886.tif 000003
【０１６８】
端末測定データインジケータ(MDTIndicator)は以下の2つの実装形態を有することができる。
【０１６９】
実装形態1: UE測定データを収集するよう命令する識別子を追加するために、既存のトレースインターフェースのインターフェースのリスト(listofInterfaces)を収集する。
【０１７０】
実装形態2:UE測定データを収集するよう命令する新しい識別子を追加する。
【０１７１】
方法2:  ノースバウンドインターフェースの性能管理ノースバウンドインターフェースコマンドを再利用する。
【０１７２】
表2は、端末測定データを収集するために使用される特定の構成パラメータ、およびその意味を一覧にしている。
【０１７３】
【表２】
2013520886.tif 000004
【０１７４】
方法3:端末測定データの収集のために、ノースバウンドインターフェース上の新しい端末測定データ収集インターフェースを定義する。
【０１７５】
表3は、端末測定データを収集するために使用される特定の構成パラメータ、およびその意味を一覧にしている。
【０１７６】
【表３】
2013520886.tif 000005
【０１７７】
本発明の他の実施形態では、UE測定情報(SelectedUEmeasurementsInfo)は、UE位置(Location)、時間情報、サービングセルの測定アイテム、および1つまたは複数の隣接セルの測定アイテムのパラメータのうちの任意の組合せを含む。
【０１７８】
本発明の他の実施形態では、サービングセルの測定アイテムは、グローバルセルアイデンティティ(CGI, Global Cell Identity)または物理的セルアイデンティティ(PCI, Physical Cell Identity)、基準信号受信電力(RSRP, Reference Signal Received Power)、基準信号受信品質(RSRQ, Reference Signal Received Quality)、電力ヘッドルーム報告(PHR, Power Headroom Report)、タイミングアドバンス(TA, Timing Advance)、信号対干渉および雑音比SINR、信号対雑音比SNR、ならびに信号対干渉比SIRのオプションのうちの任意の組合せを含むことができる。
【０１７９】
本発明の他の実施形態では、1つまたは複数の隣接セルの測定アイテムは、グローバルセルアイデンティティ(CGI)または物理的セルアイデンティティ(PCI)、基準信号受信電力(RSRP)、基準信号受信品質(RSRQ)、および周波数ポイント情報のオプションのうちの任意の組合せを含むことができる。
【０１８０】
本発明の他の実施形態では、UE測定データ収集基準は、データ収集モード、データ報告モード、およびロギングトリガリングイベントを含むことができる。
【０１８１】
本発明の他の実施形態では、データ収集モードは、収集期間を含む定期的タイプ、トリガリングイベントを含むイベントトリガタイプ、収集期間およびトリガリングイベントを含む定期的イベントタイプ、収集時間区分、ならびに収集停止条件のモードのうちの1つでよい。
【０１８２】
たとえば、収集停止条件は、UEが測定の領域を出るとデータ収集を自動的に停止することでもよく、UEが現在のセルを出るとデータ収集を自動的に停止することでもよい。
【０１８３】
本発明の他の実施形態では、データ報告モードは、報告確率タイプ、報告期間を含む定期的報告タイプ、およびトリガリングイベントを含むイベントトリガタイプのモードのうちの1つでよい。
【０１８４】
たとえば、イベントトリガタイプでは、トリガリングイベントはしきい値を下回る電力、しきい値を下回る格納スペース、しきい値を下回るローカルセルRSRP、およびしきい値を上回る隣接セルRSRPのオプションのうちの1つを含む。
【０１８５】
本発明の他の実施形態では、ロギング(Logging)トリガリングイベントは、アクティブなUEがデータ収集要件を満たさない場合に自動的に開始するロギング、ダウンリンクパイロット信号強度の定期的ロギング、しきい値を下回るサービングセル信号強度、ランダムアクセス失敗、ページングチャネル復号失敗、ブロードキャストチャネル復号失敗、および無線リンク失敗を含む。
【０１８６】
新しい端末測定データ収集ノースバンドインターフェースについて、データが報告されると、端末測定データ報告のファイルフォーマットが表4に示されるように定義される。
【０１８７】
【表４】
2013520886.tif 000006
【０１８８】
MPは必須を示し、OPは任意を示す。
【０１８９】
本発明の他の実施形態では、UE測定によって報告されたデータは、1.インターフェースタイプ、2.メッセージタイプ、3.一意の呼アイデンティティ、4.UE測定に対応する測定されたセルID、またはUE測定に対応する測定されたセルID位置情報、5.時間情報、6.位置情報、および7.特定の測定値の情報のうちの任意の組合せを含むことができる。
【０１９０】
本発明の他の実施形態では、UE測定データの管理のために、必要な管理コマンドはデータ収集停止コマンドおよびデータ収集ジョブクエリコマンドを含む。
【０１９１】
データ収集停止コマンドは、既存のトレースデアクティベーション(deactivation)コマンドおよび既存のPMジョブ削除コマンドを直接再利用できる。
【０１９２】
データ収集ジョブクエリコマンドは、UEデータ収集ジョブに現在参加している、たとえば既存のトレースインターフェースコマンドを再利用しているUEの数を、出力パラメータに一覧にすることができる。出力パラメータのリストを表5に表す。
【０１９３】
【表５】
2013520886.tif 000007
【０１９４】
本発明の他の実施形態では、UEがハンドオーバ手順を経る際に、送信元ノードBまたはMME/SGSN/MSCは、端末測定データを収集するために使用される構成パラメータ、または端末測定停止インジケータを送信先ノードBに送信できる。
【０１９５】
たとえば、図15は本発明の他の実施形態によるハンドオーバ手順の間の端末測定データの転送処理の概略図であり、X2インターフェースハンドオーバ手順の間の端末測定データの転送処理を説明する。
【０１９６】
1501. 送信元ノードBはハンドオーバ要求(HANDOVER REQUEST)を送信先ノードBに送信する。
【０１９７】
HANDOVER REQUESTは、端末測定データを収集するために使用される構成パラメータ、または端末測定停止インジケータを搬送する。
【０１９８】
1502. 送信先ノードBはハンドオーバ要求肯定応答(HANDOVER REQUEST ACKNOWLEDGE)を送信元ノードBにフィードバックする。
【０１９９】
上述の実施形態の説明は、後続のMDT収集または停止手順に引用されてもよく、ここでは繰り返さない。
【０２００】
本発明の他の実施形態では、UEがハンドオーバ手順を経る際に、端末測定データを収集するために使用される構成パラメータ、または端末測定停止インジケータを送信先ノードBに送信できる。たとえば、図16は本発明の他の実施形態によるハンドオーバ手順の間の端末測定データの転送処理の概略図であり、S1インターフェースハンドオーバ手順の間の端末測定データの転送処理を説明する。
【０２０１】
1601. MME/SGSNがハンドオーバ要求(HANDOVER REQUEST)を送信先ノードBに送信する。
【０２０２】
HANDOVER REQUESTは端末測定データを収集するために使用される構成パラメータ、または端末測定停止インジケータを搬送する。
【０２０３】
1602. 送信先ノードBはハンドオーバ要求肯定応答(HANDOVER REQUEST ACKNOWLEDGE)をMME/SGSNにフィードバックする。
【０２０４】
上述の実施形態の説明は、後続のMDT収集または停止手順に引用されてもよく、ここでは繰り返さない。
【０２０５】
上述の技術的ソリューションは、端末測定データ構成制御コマンドの配信を実行し、ベンダのネットワーク要素からの端末測定データ収集を可能にする。収集された端末測定データは以下の目的に使用できる。
【０２０６】
1.領域内の信号カバレージ状態について知り、ネットワークプランニングおよびネットワーク最適化パラメータを調整するための基準として端末測定データを使用する。
【０２０７】
2.ユーザがネットワーク信号について苦情を言う場合、その特定のユーザが端末測定データ収集に選択される。
【０２０８】
本発明の方法は、LTEに加えてGSM(登録商標)、WCDMA、CDMA、およびWimaxのMDTノースバウンド機能にも適用できる。本発明のアクセスネットワークソリューションは、GSM(登録商標)、WCDMA、CDMA、およびWimaxにも適用でき、異なる通信分野のソリューションも同様である。
【０２０９】
LTEシステムでは、ノードBはeノードB(Evolved NodeB、進化型ノードB、eNodeBと略される)である。シグナリング手順を簡単にして遅延を短くするために、E-UTRANはユニバーサル地上波無線アクセスネットワーク(UTRAN, Universal Terrestrial Radio Access Network)のRNC(Radio Network Controller、無線ネットワークコントローラ)-ノードB構造を廃棄して、eノードB(NodeB)だけを含む。
【０２１０】
図17は、本発明の他の実施形態による、LTEネットワークアーキテクチャの簡単な概略図である。LTE通信システム1700は、IRP Agent1701、IRP Manager1702、MME1703、eノードB1704、およびHSS1706を含む。
【０２１１】
本発明の他の実施形態では、eノードB1704およびMME1703は、光学的、電気的、または無線アプローチを使用することによって相互に通信できる。光学的パスを使用することによって、eノードB1704間で複数の信号を送信でき、eノードB1704を介してMME1703に送信できる。
【０２１２】
ユーザ装置1705はeノードB1704を通じて、たとえばあるeノードBまたは別のeノードBを通じて、ネットワークにアクセスする。
【０２１３】
MME1703は、IRP Agent1701を通じてIRP Manager1702と通信する。MME1703もHSS1706と通信できるように接続されている。
【０２１４】
図17に示されるLTE通信システム1700は、2つのeノードB1704および2つのMME1703だけを表示している。しかし、LTE通信システム1700はいくつものeノードB1704およびMME1703を含むことができる。さらに、複数のeノードB1704および複数のMME1703が1対1のマッピング関係を形成すると、複数のeノードB1704がMME1703に接続でき、逆も同様である。
【０２１５】
本発明の他の実施形態では、ユーザ装置1705およびeノードB1704はunインターフェースを通じて相互に通信し、eノードB1704およびMME1703はS1インターフェースを通じて相互に通信し、たとえば光ファイバまたは他の送信手段を使用することによって接続される。X2インターフェースまたは他のインターフェース(S1インターフェースなど)を通じて相互に論理的に接続されているeノードB1704間の底層送信にIP転送が採用される。これらの装置は、他のインターフェースまたは自己定義されたインターフェースを通じて相互に通信することもでき、本発明に限定されない。
【０２１６】
IRP Manager1702は端末測定データ開始操作または端末測定データ停止操作をIRP Agent1701に送信するように構成されており、端末測定データ開始操作は、端末測定データ収集を開始するために使用され、端末測定データを収集するために使用される構成パラメータを搬送し、端末測定データ停止操作は端末測定データ収集の停止を命令するために使用される。
【０２１７】
IRP Agent1701は、ネットワークを介して、端末測定データ収集の開始、または端末測定データ収集の終了をUEに通知するように構成されている。
【０２１８】
たとえば、任意で、端末測定データ停止操作は端末測定停止インジケータを搬送し、IRP Agent1701は端末測定データを収集するために使用される構成パラメータ、または端末測定停止インジケータを、ネットワークを介してUEに送信するように構成されており、UEが端末測定データを収集するために使用される構成パラメータによって端末測定データ収集を開始できるように、または端末測定停止インジケータによって端末測定データ収集を終了できるようにする。
【０２１９】
たとえば、IRP Agent1701はトレースセッションアクティベーション(Trace Session Activation)メッセージまたはトレースセッションデアクティベーションメッセージをHSS1706、MME 1703、またはeノードB1704に送信するように構成されている。
【０２２０】
本発明の他の実施形態では、IRP Agent1701はトレースセッションアクティベーションメッセージまたはトレースセッションデアクティベーションメッセージをSGSNまたはRNCに送信するように構成され得る。
【０２２１】
トレースセッションアクティベーションメッセージは、特定のユーザまたは装置のためのシグナリングトレース手順をトリガするために使用され、端末測定データを収集するために使用される構成パラメータ(MDT Configuration)を搬送する。トレースセッションデアクティベーションメッセージは、端末測定データ収集の終了を命令するために使用される端末測定停止インジケータを搬送する。
【０２２２】
任意で、HSS1706は、トレース構成パラメータ、および端末測定データを収集するために使用される構成パラメータを格納するようにさらに構成される。
【０２２３】
トレースするべきユーザ装置1705がネットワークにアクセスすると、ユーザ装置1705はアタッチ要求(Attach Request)をネットワークに送信し、その間にユーザ自身の位置情報をHSS1706にアップデートする。
【０２２４】
HSS1706は、ユーザがトレーシングを必要としているかどうかをチェックして、必要としている場合、位置更新回答(Update Location Answer)またはMDT用のトレース呼出し(Trace Invoke for MDT)メッセージを使用することによって、端末測定データを収集するために使用される構成パラメータをMME1703またはSGSNに送信する。
【０２２５】
MME1703またはSGSNはユーザ特有のトレースロギングセッションを開始し、イニシャルコンテキストセットアップ要求(Initial Context Setup Request)またはCN呼出しトレース(CN Invoke Trace)メッセージを使用することによって、端末測定データを収集するために使用される構成パラメータをeノードB1704に送信する。任意で、MME1703は端末測定データを収集するために使用される構成パラメータを格納する。
【０２２６】
本発明の他の実施形態では、HSS1706は、加入者データ挿入(Insert subscriber data)を使用することによって端末測定データを収集するために使用される構成パラメータをMME1703またはSGSNに送信し、端末測定データを収集するために使用される構成パラメータを受信するエンティティが、トレース開始(Trace Start)メッセージを使用することによって、端末測定データを収集するために使用される構成パラメータをeノードB1704に送信する。
【０２２７】
本発明の他の実施形態では、HSS1706は、MDT用のトレース呼出し(Trace Invoke for MDT)メッセージを使用することによって、端末測定データを収集するために使用される構成パラメータをMME1703またはSGSNに送信し、端末測定データを収集するために使用される構成パラメータを受信するエンティティがページングを開始して、ユーザ装置から返されたページング応答を受信後にイニシャルコンテキストセットアップ(Initial Context Setup)要求を使用することによって、端末測定データを収集するために使用される構成パラメータをeノードB1704に送信する。
【０２２８】
eノードB1704は、無線リソース制御シグナリング(RRC Signaling)を使用することによって、端末測定データを収集するために使用される構成パラメータまたは端末測定停止インジケータをユーザ装置1705に送信する。任意で、eノードB1704は端末測定データを収集するために使用される構成パラメータ、または端末測定停止インジケータを格納する。
【０２２９】
eノードB1704は、端末測定データを収集するために使用される構成パラメータをユーザ装置1705に送信して、ユーザ装置1705に端末測定データを測定するよう命令する。
【０２３０】
任意で、ユーザ装置1705は端末測定データ設定完了メッセージをeノードB1704に送信する。
【０２３１】
ユーザ装置1705は端末測定データ報告(MDT Data Report)をeノードB1704に送信し、eノードB1704はその報告をデータ収集エンティティ1707に転送する。
【０２３２】
本発明の他の実施形態では、データ収集エンティティ1707は、IRP Agent1701内に位置することができ、IRP Agent1701は端末測定データ報告をIRP Manager1702にさらに送信できる。
【０２３３】
本発明の他の実施形態では、UEがネットワーク内に位置する場合、MDT Configurationの転送処理は以下のようでよい。
【０２３４】
IRP Manager1702が端末測定データ開始操作をIRP Agent1701に送信して、端末測定データの収集を要求し、メッセージは端末測定データを収集するために使用される構成パラメータを搬送する。
【０２３５】
IRP Agent1701はトレースセッションアクティベーション(Trace Session Activation)メッセージをHSS1706に送信する。トレースセッションアクティベーションメッセージは、特定のユーザまたは装置のためのシグナリングトレース手順をトリガするために使用され、パブリック構成パラメータに加えてMDT用の構成パラメータを搬送する。
【０２３６】
HSS1706は、加入者データ挿入(Insert subscriber data)または位置更新回答(Update Location Answer)メッセージを使用することによって、端末測定データを収集するために使用される構成パラメータをMME1703に送信する。任意で、HSS1706はトレース構成パラメータ、および端末測定データを収集するために使用される構成パラメータを格納する。
【０２３７】
MME1703はユーザ特有のトレースロギングセッションを開始し、トレース開始メッセージを使用することによって、端末測定データを収集するために使用される構成パラメータをeノードB1704に送信する。任意で、MME1703は端末測定データを収集するために使用される構成パラメータをさらに格納する。
【０２３８】
eノードB1704はユーザ特有のトレースロギングセッションを開始し、ユーザ装置1705に端末測定データを測定するよう命令するRRCシグナリングを使用することによって、端末測定データを収集するために使用される構成パラメータをユーザ装置1705に送信する。任意で、eノードB1704は端末測定データを収集するために使用される構成パラメータをさらに格納する。
【０２３９】
任意で、ユーザ装置1705は端末測定データ設定完了メッセージをeノードB1704に送信する。
【０２４０】
ユーザ装置1705は、端末測定データ報告をeノードB1704に送信し、eノードB1704はその報告をデータ収集エンティティ1707に転送する。
【０２４１】
本発明の他の実施形態では、NASシグナリングを使用することによって、MME1703は端末測定データ構成要求をユーザ装置1705に送信し、ユーザ装置1705に端末測定データの測定を通知する。
【０２４２】
本発明の他の実施形態では、セルトラフィックトレース(Cell Traffic Trace)メッセージを使用することによって、IRP Agent1701は端末測定データ構成をユーザ装置1705に送信し、ユーザ装置1705に端末測定データの測定を通知する。
【０２４３】
本発明の他の実施形態では、ユーザ装置1705がハンドオーバ手順を経る際に、ハンドオーバ手順の間に、端末測定データを収集するために使用される構成パラメータ、または端末測定停止インジケータも送信先ノードBに送信される。
【０２４４】
たとえば、X2インターフェースハンドオーバ手順の転送処理において、送信元ノードBがハンドオーバ要求(HANDOVER REQUEST)を送信先ノードBに送信し、HANDOVER REQUESTは、端末測定データを収集するために使用される構成パラメータ、または端末停止インジケータを搬送する。
【０２４５】
たとえば、S1インターフェースハンドオーバ手順の転送処理において、MMEがハンドオーバ要求(HANDOVER REQUEST)を送信先ノードBに送信し、HANDOVER REQUESTが端末測定データを収集するために使用される構成パラメータ、または端末測定停止インジケータを搬送する。
【０２４６】
図18は、本発明の他の実施形態によるIRP管理システムの概略的構造図である。IRP管理システムは、IRPManager1801および送信ユニット1802を含む。
【０２４７】
IRPManager1801は端末測定データを収集するために使用される構成パラメータ、または端末測定停止インジケータを構成するように構成されている。
【０２４８】
端末測定データを収集するために使用される特定の構成パラメータ、およびその意味は、表1、表2、または表3に記載されており、ここでは繰り返さない。
【０２４９】
送信ユニット1802は、端末測定データ開始操作または端末測定データ停止操作をIRP Agentに送信するように構成されている。端末測定データ開始操作は端末測定データ収集を開始するために使用されて、端末測定データを収集するために使用される構成パラメータを搬送し、端末測定データ停止操作は端末測定データ収集の停止を命令するために使用されて、端末測定データインジケータを搬送する。IRP Agentは端末測定データを収集するために使用される構成パラメータ、または端末測定停止インジケータをUEに送信する。
【０２５０】
図19は、本発明の他の実施形態による、IRP Agentシステムの概略的構造図である。IRP Agentシステムは、受信ユニット1901およびIRPAgent1902を含む。
【０２５１】
受信ユニット1901は、IRP Managerによって送信された端末測定データ開始操作または端末測定データ停止操作を受信するように構成されており、端末測定データ開始操作は、端末測定データ収集を開始するために使用され、端末測定データを収集するために使用される構成パラメータを搬送し、端末測定データ停止操作は端末測定データ収集の停止を命令するために使用される。
【０２５２】
IRPAgent1902は、ネットワークを介して、端末測定データ収集の開始、または端末測定データ収集の終了をUEに通知するように構成されている。
【０２５３】
たとえば、任意で、端末測定データ停止操作は端末測定停止インジケータを搬送し、IRPAgent1902は端末測定データを収集するために使用される構成パラメータ、または端末測定停止インジケータを、ネットワークを介してUEに送信するように構成されており、UEが端末測定データを収集するために使用される構成パラメータによって端末測定データ収集を開始できるように、または端末測定停止インジケータによって端末測定データ収集を終了できるようにする。
【０２５４】
たとえば、IRPAgent1902は、トレースセッションアクティベーションまたはトレースセッションデアクティベーションメッセージをHSS、MME、SGSN、eノードB、またはRNC、あるいはMSCに送信するように特に構成されている。トレースセッションアクティベーションメッセージは、特定のユーザまたは装置のためのシグナリングトレース手順をトリガするために使用され、端末測定データを収集するために使用される構成パラメータを搬送し、トレースセッションデアクティベーションメッセージは端末測定停止インジケータを搬送する。トレースセッションアクティベーションまたはトレースセッションデアクティベーションメッセージを受信するエンティティは、端末測定データを収集するために使用される構成パラメータ、または端末測定停止インジケータをUEに送信する。
【０２５５】
本発明の他の実施形態では、IRPAgent1902は、セルトラフィックトレースメッセージを使用することによって端末測定データ構成をUEに送信して、UEに端末測定データの測定を通知する。
【０２５６】
図20は、本発明の他の実施形態によるHSSの概略的構造図である。HSSは、受信ユニット2001、格納ユニット2002、チェッキングユニット2003、および送信ユニット2004を含む。
【０２５７】
受信ユニット2001は、IRP Agentによって送信されたトレースセッションアクティベーションまたはトレースセッションデアクティベーションメッセージを受信するように構成されている。トレースセッションアクティベーションメッセージは、特定のユーザまたは装置のためのシグナリングトレース手順をトリガするために使用され、端末測定データを収集するために使用される構成パラメータを搬送し、トレースセッションデアクティベーションメッセージは端末測定データ収集の終了を命令するために使用される端末測定停止インジケータを搬送する。
【０２５８】
送信ユニット2004は、端末測定データを収集するために使用される構成パラメータ、または端末測定停止インジケータを、MMEまたはSGSNを通じてUEに送信するように構成されている。
【０２５９】
格納ユニット2002は、トレース構成パラメータ、および端末測定データを収集するために使用される構成パラメータを格納するように構成されている。格納ユニット2002は任意であり、送信ユニット2004は端末測定データを収集するために使用される構成パラメータ、または端末測定停止インジケータをMMEまたはSGSNに直接送信できる。
【０２６０】
チェッキングユニット2003は任意である。たとえば、端末測定データを収集するために使用される構成パラメータの転送処理のための2つの機会が区別される。
【０２６１】
たとえば、トレースするべきユーザがネットワークにアクセスすると、ユーザはアタッチ要求(Attach Request)をネットワークに送信し、その間にユーザ自身の位置情報をHSSにアップデートする。次いで、チェッキングユニット2003は、ユーザがトレーシングを必要としているかどうかをチェックするように構成されており、必要としている場合、送信ユニット2004は、位置更新回答(Update Location Answer)を使用することによって、端末測定データを収集するために使用される構成パラメータをMMEに送信するように構成されており、MMEはパラメータをUEにさらに送信する。
【０２６２】
たとえば、UEが既にネットワーク内に位置している場合、チェッキングユニット2003は必要ではない。送信ユニット2004は、加入者データ挿入(Insert subscriber data)または位置更新回答(Update Location Answer)メッセージを使用することによって、端末測定データを収集するために使用される構成パラメータをMMEに送信するように構成されており、MMEはパラメータをUEにさらに送信する。
【０２６３】
図21は、本発明の他の実施形態によるMMEの概略的構造図である。MMEは、受信ユニット2101、格納ユニット2102、および送信ユニット2103を含む。
【０２６４】
受信ユニット2101は、端末測定データを収集するために使用される構成パラメータ、またはIRP Agentによって送信された端末測定停止インジケータを受信するように構成されている。
【０２６５】
送信ユニット2103は、端末測定データを収集するために使用される構成パラメータ、または端末測定停止インジケータを、ノードBを通じてUEに送信するように構成されている。
【０２６６】
たとえば、受信ユニット2101はIRP Agentによって送信されたトレースセッションアクティベーション、またはトレースセッションデアクティベーションメッセージを受信して、トレースセッションアクティベーションメッセージは端末測定データを収集するために使用される構成パラメータを搬送し、トレースセッションデアクティベーションメッセージは端末測定停止インジケータを搬送する。
【０２６７】
たとえば、IRP AgentがトレースセッションアクティベーションまたはトレースセッションデアクティベーションメッセージをHSSに送信すると、トレースセッションアクティベーションメッセージが端末測定データを収集するために使用される構成パラメータを搬送して、トレースセッションデアクティベーションメッセージが端末測定停止インジケータを搬送する場合、受信ユニット2101は、加入者データ挿入(Insert subscriber data)または位置更新回答(Update Location Answer)を使用することによってHSSによって送信された、端末測定データを収集するために使用される構成パラメータを受信し、受信ユニット2101は、トレースセッションデアクティベーションメッセージを使用することによってHSSによって送信された端末測定停止インジケータを受信する。
【０２６８】
格納ユニット2102は、端末測定データを収集するために使用される構成パラメータを格納するように構成されている。格納ユニット2102は任意であり、送信ユニット2103は、端末測定データを収集するために使用される構成パラメータ、または端末測定停止インジケータをeノードBまたはRNCに直接転送できる。
【０２６９】
たとえば、送信ユニット2103は、ユーザ特有のトレースロギングセッションを開始して、トレース開始メッセージを使用することによって、端末測定データを収集するために使用される構成パラメータをeノードB/RNCに送信するように構成されている。
【０２７０】
本発明の他の実施形態では、送信ユニット2103は、NASシグナリングを使用することによって、端末測定データ構成要求をUEにさらに送信して、UEに端末測定データの測定を通知できる。
【０２７１】
本発明の他の実施形態では、S1インターフェースハンドオーバ手順を使用することによって、送信ユニット2103は、ハンドオーバ要求(HANDOVER REQUEST)を送信先ノードBにさらに送信でき、HANDOVER REQUESTは端末測定データを収集するために使用される構成パラメータ、または端末測定停止インジケータを搬送する。
【０２７２】
図22は、本発明の他の実施形態によるノードBの概略的構造図である。ノードBは、受信ユニット2201、格納ユニット2202、および送信ユニット2203を含む。
【０２７３】
受信ユニット2201は、端末測定データを収集するために使用される構成パラメータ、またはIRP Agentによって送信された端末測定停止インジケータを受信し、およびUEによって返された端末測定データ報告を受信するように構成されている。
【０２７４】
送信ユニット2203は、端末測定データ収集するために使用される構成パラメータ、または端末測定停止インジケータをユーザ装置に送信するように、およびUEによって返された端末測定データ報告をトレースデータ収集エンティティに送信するように構成されている。
【０２７５】
たとえば、受信ユニット2201は、トレース開始メッセージを使用することによって、MMEによって送信された端末測定データを収集するために使用される構成パラメータを受信し、RRCシグナリングメッセージを使用することによって、端末測定データを収集するために使用される構成パラメータをユーザ装置に送信し、UEによって返された端末測定データ報告を受信する。送信ユニット2203は端末測定データ報告をデータ収集エンティティに送信する。
【０２７６】
任意で、受信ユニット2201は、UEによって返された端末測定データ設定完了メッセージまたは端末測定データ停止設定完了メッセージをさらに受信する。
【０２７７】
たとえば、受信ユニット2201は、IRP AgentのIRPAgentによって送信されたトレースセッションデアクティベーションメッセージを受信し、トレースセッションデアクティベーションメッセージは、端末測定停止インジケータを搬送する。
【０２７８】
格納ユニット2202は、端末測定データを収集するために使用される構成パラメータ、または端末測定停止インジケータを格納するように構成されている。
【０２７９】
本発明の他の実施形態では、ノードBは、UEがハンドオーバ手順を経る際にハンドオーバコマンド内に端末測定データを収集するために使用される構成パラメータ、または端末測定停止インジケータを構成するように構成された構成ユニットをさらに含み、送信ユニット2203はハンドオーバコマンドを送信先ノードBに送信する。
【０２８０】
図23は、本発明の他の実施形態によるユーザ装置の概略的構造図である。ノードBは、トランシーバ2301および測定ユニット2302を含む。
【０２８１】
トランシーバ2301は、端末測定データを収集するために使用される構成パラメータ、またはノードBによって送信された端末測定停止インジケータを受信して、端末測定データ報告をノードBに送信するように構成されている。
【０２８２】
たとえば、トランシーバ2301は、ノードBによって開始されたトレースロギングセッション、およびRRCシグナリングメッセージを使用することによって送信された、端末測定データを収集するために使用される構成パラメータを受信して、eノードBを通じてデータ収集エンティティに送信された端末測定データ設定完了メッセージおよび端末測定データ報告をノードBに送信するように構成されている。
【０２８３】
測定ユニット2302は、端末測定データを収集するために使用される構成パラメータによって端末測定データを測定するように、または端末測定停止インジケータによって端末測定データの測定を終了するように構成されている。
【０２８４】
上述の技術的ソリューションによれば、端末測定データ構成の制御コマンドを配信でき、ネットワーク要素およびユーザ装置から端末測定データを収集できる。収集された端末測定データは、領域内の信号カバレージ状態を反映するために使用でき、またネットワークプランニングおよびネットワーク最適化パラメータを調整するための基準として使用できる。
【０２８５】
図24は、本発明の他の実施形態による、トレースジョブを問い合わせるための方法の概略的流れ図である。
【０２８６】
2401. IRP Managerは、アクティベート済みトレースジョブ一覧(List Activated Trace Jobs)操作をIRP Agentに送信する。
【０２８７】
2402. IRP Agentは測定を実行している端末の数を出力する。
【０２８８】
容易で簡潔な説明のために、上述のシステム、装置、およびユニットの特定の作業工程のために、方法実施形態における対応する処理に言及できることが当業者は明らかにわかるので、その詳細はここでは説明しない。
【０２８９】
本出願における提供した実施形態において開示したシステム、装置、および方法は、他の実装形態を有してよいことが理解されるべきである。たとえば、上述の装置実施形態は例示的なものに過ぎない。ユニットの区分は論理機能の区分に過ぎない。実際には他のモードの区分を採用できる。たとえば、複数のユニットまたはコンポーネントは他のシステムに結合または統合されてもよく、あるいはいくつかの機能が無視されてもよく、実行されなくてもよい。装置間の表示または議論された結合、または直接結合、あるいは通信接続は、インターフェースを使用することによって実施できる。装置またはユニット間の間接的な結合または通信接続は、電気的、機械的なものでもよく、他の形式でもよい。
【０２９０】
分離された部分として説明したユニットは、物理的に分離していてもよく、物理的に分離していなくてもよい。ユニットとして示される部分は物理的ユニットでもよく、物理的ユニットでなくてもよい。すなわち、このような部分はある位置に位置してもよく、複数のネットワークユニット内に分散してもよい。本発明に実施形態の技術的ソリューションの目的は、実際の必要性に応じて本明細書に記載したユニットの一部または全てを使用することによって達成できる。
【０２９１】
さらに、本発明の実施形態における機能ユニットは、処理ユニットに統合されてもよく、独立した物理的ユニットとして存在してもよく、また2つ以上のユニットが1つのユニットに統合されてもよい。統合されたユニットは、ハードウェアの形式、またはソフトウェア機能ユニットの形式で実装され得る。
【０２９２】
統合されたユニットがソフトウェア機能ユニットの形式で実装されて独立した製品として販売または使用されると、ユニットはコンピュータ可読記憶メディア内に格納され得る。このような理解に基づいて、本発明の技術的ソリューションの本質、または従来技術に貢献する部分、あるいは技術的ソリューションの一部または全ては、ソフトウェア製品の形式で反映され、記憶メディア内に格納され、コンピュータ装置(パーソナルコンピュータ、サーバ、またはネットワーク装置)に、本発明の実施形態に記載した方法のステップの全てまたは一部を実行するよう命令するいくつかの命令を含む。記憶メディアは、USBディスク、着脱可能ハードディスク、読出し専用メモリ(ROM, Read-Only Memory)、ランダムアクセスメモリ(RAM, Random Access Memory)、磁気ディスク、またはコンパクトディスクなどの、プログラムコードを格納できるあらゆる種類のメディアを含む。
【０２９３】
上記の説明は本発明の例示的実施形態に過ぎず、本発明の保護範囲を限定することを意図するものではない。本発明に技術的範囲から逸脱することなしに当業者が容易に思いつく様々な修正形態および置換は、本発明の保護範囲内であると見なされるべきである。したがって、本発明の保護範囲は添付の特許請求の範囲内である。
【符号の説明】
【０２９４】
600  システム
601  ネットワーク管理システム
602  ユーザ装置
603  要素管理システム
604  ユーザ装置
605  ネットワーク要素
606  eノードB/RNC
607  ネットワーク要素
608  MME
610  HSS
【図１】
2013520886.tif 000008
【図２】
2013520886.tif 000009
【図３】
2013520886.tif 000010
【図５】
2013520886.tif 000011
【図６】
2013520886.tif 000012
【図７】
2013520886.tif 000013
【図８】
2013520886.tif 000014
【図９】
2013520886.tif 000015
【図１０】
2013520886.tif 000016
【図１１】
2013520886.tif 000017
【図１２】
2013520886.tif 000018
【図１３】
2013520886.tif 000019
【図１４】
2013520886.tif 000020
【図１５】
2013520886.tif 000021
【図１６】
2013520886.tif 000022
【図１７】
2013520886.tif 000023
【図１８】
2013520886.tif 000024
【図１９】
2013520886.tif 000025
【図２０】
2013520886.tif 000026
【図２１】
2013520886.tif 000027
【図２２】
2013520886.tif 000028
【図２３】
2013520886.tif 000029
【図２４】
2013520886.tif 000030
【図４】
2013520886.tif 000031
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
統合基準点マネージャ(IRP Manager)によって送信された端末測定データ開始操作または端末測定データ停止操作を統合基準点エージェント(IRP Agent)によって受信するステップであって、前記端末測定データ開始操作が、端末測定データ収集を開始するために使用されて、端末測定データを収集するために使用される構成パラメータを搬送し、前記端末測定データ停止操作が、端末測定データ収集の停止を命令するために使用されるステップを備える、端末測定データを収集するための方法。
【請求項２】
統合基準点エージェント(IRP Agent)によって、端末測定データを収集するために使用される前記構成パラメータまたは前記端末測定データ停止操作において搬送された前記端末測定停止インジケータを、ネットワークを介してユーザ装置(UE)に送信して、前記UEが端末測定データを収集するために使用される前記構成パラメータによって端末測定データ収集を開始できるように、または前記端末測定停止インジケータによって端末測定データ収集を停止できるようにするステップをさらに備える、請求項1に記載の方法。
【請求項３】
前記端末測定データ停止操作が端末測定停止インジケータを搬送する、請求項1または2に記載の方法。
【請求項４】
前記統合基準点エージェント(IRP Agent)が、前記端末測定データ停止操作によって前記UEに端末測定データ収集の停止を通知する、請求項1から3のいずれか一項に記載の方法。
【請求項５】
前記IRP Agentによって、端末測定データを収集するために使用される前記構成パラメータ、または前記端末測定停止インジケータを、前記ネットワークを介して前記UEに送信する前記ステップが、
前記IRP Agentによって、端末測定データを収集するために使用される前記構成パラメータ、または前記端末測定停止インジケータをホーム加入者サーバ(HSS)、モビリティ管理エンティティ(MME)、サービングGPRSサポートノード(SGSN)、モバイルスイッチングセンタ(MSC)、ノードB、または無線ネットワークコントローラを通じて前記UEに送信するステップを備える、請求項2に記載の方法。
【請求項６】
前記IRP Agentによって、トレースセッションアクティベーションまたはトレースセッションデアクティベーションメッセージを前記ホーム加入者サーバ(HSS)、MME、SGSN、MSC、ノードB、または無線ネットワークコントローラに送信するステップであって、トレースセッションアクティベーションメッセージが端末測定データを収集するために使用される前記構成パラメータを搬送し、前記トレースセッションデアクティベーションメッセージが前記端末測定停止インジケータを搬送するステップをさらに備える、請求項5に記載の方法。
【請求項７】
前記IRP Agentが端末測定データを収集するために使用される前記構成パラメータを前記HSSに送信する場合、
位置更新回答(Update Location Answer)メッセージを使用することによって、前記HSSによって、端末測定データを収集するために使用される構成パラメータを前記MME、SGSN、またはMSCに送信するステップと、
端末測定データを収集するために使用される前記構成パラメータを受信する前記エンティティによって、イニシャルコンテキストセットアップ(Initial Context Setup)要求、またはCN呼出しトレース(CN Invoke Trace)メッセージを使用することによって、端末測定データを収集するために使用される前記構成パラメータを前記ノードBまたは無線ネットワークコントローラに送信するステップとをさらに備える、請求項6に記載の方法。
【請求項８】
前記IRP Agentが、端末測定データを収集するために使用される前記構成パラメータを前記HSSに送信する場合、
加入者データ挿入(Insert subscriber data)を使用することによって、前記HSSによって、端末測定データを収集するために使用される構成パラメータを前記MME、SGSN、またはMSCに送信するステップと、
端末測定データを収集するために使用される前記構成パラメータを受信する前記エンティティによって、トレース開始(Trace Start)、またはCN呼出しトレース(CN Invoke Trace)メッセージを使用することによって、端末測定データを収集するために使用される前記構成パラメータを前記ノードBまたは無線ネットワークコントローラに送信するステップとをさらに備える、請求項6に記載の方法。
【請求項９】
前記IRP Agentが、端末測定データを収集するために使用される前記構成パラメータを前記HSSに送信する場合、
端末測定データ収集を開始するための他のメッセージを使用することによって、前記HSSによって、端末測定データを収集するために使用される構成パラメータを前記MME、SGSN、またはMSCに送信するステップと、
端末測定データを収集するために使用される前記構成パラメータを受信する前記エンティティによってページングを開始して、前記ユーザ装置によって返されるページング応答を受信後にイニシャルコンテキストセットアップ(Initial Context Setup)要求、またはCN呼出しトレース(CN Invoke Trace)メッセージを使用することによって、端末測定データを収集するために使用される前記構成パラメータを前記ノードBまたは無線ネットワークコントローラに送信するステップとをさらに備える、請求項6に記載の方法。
【請求項１０】
前記ノードBまたは無線ネットワークコントローラによって、無線リソース制御シグナリングを使用することによって、端末測定データを収集するために使用される前記構成パラメータを前記UEに送信するステップをさらに備える、請求項7、8、または9に記載の方法。
【請求項１１】
前記MMEまたはSGSNによって、非アクセス層シグナリング(NAS)を使用することによって、端末測定データを収集するために使用される前記構成パラメータを前記UEに送信するステップをさらに備える、請求項6に記載の方法。
【請求項１２】
前記IRP Agentによって、端末測定データを収集するために使用される前記構成パラメータを前記UEに送信する前記ステップが、
前記IRP Agentによって、セルトラフィックトレース(Cell Traffic Trace)、またはトレースセッションアクティベーション(Trace Session Activation)メッセージをノードBまたは無線ネットワークコントローラに送信するステップを備え、前記メッセージが端末測定データを収集するために使用される前記構成パラメータを搬送して、前記ノードBまたは無線ネットワークコントローラが端末測定データを収集するために使用される前記構成パラメータをセル内のUEに配信できるようにする、請求項1から11のいずれか一項に記載の方法。
【請求項１３】
送信元ノードBまたはMME/SGSN/MSCによって送信先ノードBに送信されたHANDOVER REQUESTコマンドが、端末測定データを収集するために使用される構成パラメータを搬送する、請求項1から12のいずれか一項に記載の方法。
【請求項１４】
ノードBによって、UEによって返された端末測定データ報告を受信して、前記報告をトレースデータ収集エンティティに転送するステップをさらに備える、請求項1から13のいずれか一項に記載の方法。
【請求項１５】
前記端末測定データ報告が、インターフェースタイプ、メッセージタイプ、一意の呼アイデンティティ、UE測定にそれぞれ対応する測定されたセルIDまたは他のUE位置情報、時間情報、位置情報、および特定の測定値の情報のうちの任意の組合せを備える、請求項14に記載の方法。
【請求項１６】
端末測定データを収集するために使用される前記構成パラメータが、
端末測定データインジケータ、UE測定データ収集基準、報告されたUE測定情報、端末測定データを報告するアドレス、端末測定データ収集の範囲リスト、端末測定データ収集の開始時間、端末測定データ収集の終了時間、端末測定データのスケジューリング期間、端末測定データ収集の優先順位、およびターゲットユーザアイデンティティ(IMSI, IMEI)またはターゲットユーザアイデンティティのリストのパラメータのうちの任意の組合せを備える、請求項1から15のいずれか一項に記載の方法。
【請求項１７】
端末測定データ収集の前記範囲リストが、
セルアイデンティティ、セルアイデンティティリスト、トレース領域アイデンティティ、トレース領域アイデンティティリスト、ノードBアイデンティティ、およびノードBアイデンティティリストのオプションのうちの1つまたは複数を備える、請求項16に記載の方法。
【請求項１８】
端末測定データを収集するために使用される前記構成パラメータが、
端末の測定データ収集識別子、
端末の測定データ収集機能情報、
端末の位置検出機能情報、
端末によって測定されている測定アイテム、
測定アイテムの測定モード、期間、イベント、または定期的イベント、および、
測定アイテムの報告モード、期間、イベント、または定期的イベント
のパラメータのうちの任意の組合せを備える、請求項13に記載の方法。
【請求項１９】
前記報告されたUE測定情報が、UE位置、時間情報、サービングセルの測定アイテム、および1つまたは複数の隣接セルの測定アイテムのパラメータのうちの任意の組合せを備える、請求項16に記載の方法。
【請求項２０】
サービングセルの前記測定アイテムが、グローバルセルアイデンティティ(CGI, Global Cell Identity)、物理的セルアイデンティティ(PCI, Physical Cell Identity)、基準信号受信電力(RSRP, Reference Signal Received Power)、基準信号受信品質(RSRQ, Reference Signal Received Quality)、電力ヘッドルーム報告(PHR, Power Headroom Report)、タイミングアドバンス(TA, Timing Advance)、信号対干渉および雑音比SINR、信号対雑音比SNR、ならびに信号対干渉比SIRのオプションのうちの任意の組合せを備える、請求項19に記載の方法。
【請求項２１】
1つまたは複数の隣接セルの前記測定アイテムが、グローバルセルアイデンティティ(CGI)、物理的セルアイデンティティ(PCI)、基準信号受信電力(RSRP)、基準信号受信品質(RSRQ)、および周波数ポイント情報のオプションのうちの任意の組合せを備える、請求項19に記載の方法。
【請求項２２】
前記UE測定データ収集基準が、
データ収集モード、データ報告モードおよびロギングトリガリングイベント、UE測定データ収集の期間、UE測定データ報告の期間、収集時間区分、収集停止のトリガ条件、選択されたUEのカバレージ、ならびにモバイル電話性能インデックスのオプションのうちの任意の組合せを備える、請求項16に記載の方法。
【請求項２３】
前記端末測定データ開始操作が、
トレースノースバウンドインターフェースのアクティブトレースジョブ(Active Trace Job)メッセージ、または、
性能管理ノースバウンドインターフェースの測定ジョブ作成(Create Measurement Job)メッセージ、または、
端末測定データ収集ノースバウンドインターフェースのメッセージである、請求項1から22のいずれか一項に記載の方法。
【請求項２４】
前記IRP Managerによって、アクティベート済みトレースジョブ一覧(List Activated Trace Jobs)操作を前記IRP Agentに送信するステップと、
前記IRP Managerによって、測定を実行している端末の数を出力するステップとをさらに備える、請求項1から23のいずれか一項に記載の方法。
【請求項２５】
前記HSSによって、前記UEの位置が分からないこと、前記UEが接続されていないこと、または前記UEがアイドル状態であることを示すコーズ値を搬送するトレースセッションアクティベーション応答を前記IRP Agentに送信するステップをさらに備える、請求項5に記載の方法。
【請求項２６】
前記IRP Agentによって、前記UEの位置がわからないこと、前記UEが接続されていないこと、または前記UEがアイドル状態であることを示すコーズ値を搬送する前記トレースセッションアクティベーション応答を前記IRP Managerに送信するステップをさらに備える、請求項25に記載の方法。
【請求項２７】
統合基準点マネージャ(IRP Manager)および統合基準点エージェント(IRP Agent)を備える、端末測定データを収集するためのシステムであって、
前記IRP Managerが、端末測定データ開始操作または端末測定データ停止操作を前記IRP Agentに送信するように構成されており、前記端末測定データ開始操作が、端末測定データ収集を開始するために使用されて、端末測定データを収集するために使用される構成パラメータを搬送し、前記端末測定データ停止操作が、端末測定データ収集の停止を命令するために使用され、
前記IRP Agentが、ネットワークを介して、端末測定データ収集の開始、または端末測定データ収集の終了をUEに通知するように構成されている、システム。
【請求項２８】
端末測定データを収集するために使用される前記構成パラメータ、または前記IRP Agentによって送信された端末測定停止インジケータを受信して、端末測定データを収集するために使用される前記構成パラメータ、または前記端末測定停止インジケータを前記ユーザ装置(UE)に転送するように構成されたホーム加入者サーバ(HSS)をさらに備える、請求項27に記載のシステム。
【請求項２９】
端末測定データを収集するために使用される前記構成パラメータ、あるいは前記IRP Agentによって前記HSSを通じて送信された、または前記IRP Agentによって直接送信された前記端末測定停止インジケータを受信して、端末測定データを収集するために使用される前記構成パラメータ、または前記端末測定停止インジケータを前記UEに転送するように構成されたモビリティ管理エンティティ(MME)またはSGSNをさらに備える、請求項27または28に記載のシステム。
【請求項３０】
端末測定データを収集するために使用される前記構成パラメータ、あるいは前記IRP Agentによって直接送信された、または前記HSS、MME、またはSGSNを通じて前記IRP Agentによって送信された端末測定停止インジケータを受信して、端末測定データを収集するために使用される前記構成パラメータ、または前記端末測定停止インジケータを前記UEに転送するように構成されたノードB/RNCをさらに備える、請求項27、28または29に記載のシステム。
【請求項３１】
端末測定データを収集するために使用される構成パラメータ、または端末測定停止インジケータを構成するように構成された統合基準点マネージャ(IRP Manager)と、
端末測定データ開始操作または端末測定データ停止操作をIRP Agentに送信するように構成された送信ユニットであって、前記端末測定データ開始操作が、端末測定データ収集を開始するために使用されて、端末測定データを収集するために使用される前記構成パラメータを搬送し、前記端末測定データ停止操作が、端末測定データ収集の停止を命令するために使用されて、前記端末測定データインジケータを搬送し、したがって、前記IRP Agentが端末測定データを収集するために使用される前記構成パラメータまたは前記端末測定停止インジケータをUEに送信するようにする、送信ユニットとを備える、統合基準点マネージャシステム。
【請求項３２】
IRP Managerによって送信された端末測定データ開始操作または端末測定データ停止操作を受信するように構成された受信ユニットであって、前記端末測定データ開始操作が、端末測定データ収集を開始するために使用されて、端末測定データを収集するために使用される構成パラメータを搬送し、前記端末測定データ停止操作が、端末測定データ収集の停止を命令するために使用される受信ユニットと、
端末測定データ収集の開始、または端末測定データ収集の終了を、ネットワークを介してUEに通知するように構成された統合基準点エージェント(IRP Agent)とを備える、統合基準点エージェントシステム。
【請求項３３】
前記端末測定データ停止操作が端末測定停止インジケータを搬送し、前記IRP AgentがトレースセッションアクティベーションまたはトレースセッションデアクティベーションメッセージをHSS、MME、SGSN、eノードB、またはRNC送信するように構成され、
前記トレースセッションアクティベーションメッセージが、特定のユーザまたは装置のためのシグナリングトレース手順をトリガするために使用され、端末測定データを収集するために使用される前記構成パラメータを搬送し、前記トレースセッションデアクティベーションメッセージが、前記端末測定停止インジケータを搬送し、したがって、前記トレースセッションアクティベーションまたはトレースセッションデアクティベーションメッセージを受信する前記エンティティが、端末測定データを収集するために使用される前記構成パラメータ、または前記端末測定停止インジケータを前記UEに送信するようにする、請求項32に記載の統合基準点エージェントシステム。
【請求項３４】
前記IRP Agentが、セルトラフィックトレース(Cell Traffic Trace)メッセージを使用することによって端末測定データを収集するために使用される前記構成パラメータを前記UEに送信して、前記UEに前記端末測定データの測定を通知するように構成される、請求項32または33に記載の統合基準点エージェントシステム。
【請求項３５】
IRP Agentによって送信されたトレースセッションアクティベーションまたはトレースセッションデアクティベーションメッセージを受信するように構成された受信ユニットであって、前記トレースセッションアクティベーションメッセージが、特定のユーザまたは装置のためのシグナリングトレース手順をトリガするために使用され、端末測定データを収集するために使用される構成パラメータを搬送し、前記トレースセッションデアクティベーションメッセージが、端末測定データ収集の終了を命令するために使用される端末測定停止インジケータを搬送する受信ユニットと、
端末測定データを収集するために使用される前記構成パラメータ、または前記端末測定停止インジケータをMMEまたはSGSNを通じてUEに送信するように構成された送信ユニットとを備える、ホーム加入者サーバ。
【請求項３６】
トレースするべきユーザが前記ネットワークにアクセスすると、前記ユーザがトレーシングを必要としているかどうかをチェックするように構成されており、必要としている場合、前記送信ユニットが、Update Location Answerを使用することによって、端末測定データを収集するために使用される前記構成パラメータを前記MMEに送信して、前記MMEを通じて前記構成パラメータを前記UEにさらに送信するようにさらに構成される、請求項35に記載のホーム加入者サーバ。
【請求項３７】
前記UEが既に前記ネットワーク内に位置している場合、前記送信ユニットが加入者データ挿入(Insert subscriber data)または位置更新回答メッセージを使用することによって、端末測定データを収集するために使用される前記構成パラメータを前記MMEに送信して、前記MMEを通じて前記構成パラメータを前記UEにさらに送信するようにさらに構成される、請求項35または36に記載のホーム加入者サーバ。
【請求項３８】
端末測定データを収集するために使用される構成パラメータ、またはIRP Agentによって送信された端末測定停止インジケータを受信するように構成された受信ユニットと、
端末測定データ収集するために使用される構成パラメータ、または前記端末測定停止インジケータを、ノードBを通じてUEに送信するように構成された送信ユニットとを備える、モビリティ管理エンティティ。
【請求項３９】
端末測定データを収集するために使用される構成パラメータ、またはIRP Agentによって送信された端末測定停止インジケータを受信するように、およびUEによって返される端末測定データ報告を受信するように構成された受信ユニットと、
端末測定データ収集するために使用される前記構成パラメータ、または前記端末測定停止インジケータを前記UEに送信するように、および前記UEによって返された前記端末測定データ報告をトレースデータ収集エンティティに送信するように構成された送信ユニットとを備える、ノードB。
【請求項４０】
前記UEがハンドオーバ手順を経る際に、ハンドオーバコマンド内に端末測定データを収集するために使用される前記構成パラメータ、または前記端末測定停止インジケータを構成するように構成されており、前記送信ユニットが前記ハンドオーバコマンドを送信先ノードBに送信するようにする構成ユニットをさらに備える、請求項39に記載のノードB。
【請求項４１】
端末測定データ収集するために使用される構成パラメータ、またはノードBによって送信された端末測定停止インジケータを受信して、端末測定データ報告を前記ノードBに送信するように構成されたトランシーバと、
端末測定データを収集するために使用される前記構成パラメータによって端末測定データを測定するように、または前記端末測定停止インジケータによって前記端末測定データの測定を終了するように構成された測定ユニットとを備える、ユーザ装置。
【手続補正２】
【補正対象書類名】明細書
【補正対象項目名】０００３
【補正方法】変更
【補正の内容】
【０００３】
たとえばモバイル通信用グローバルシステム(GSM(登録商標), Global System for Mobile Communications)、広帯域符号分割多元接続(WCDMA, Wideband Code Division Multiple Wireless Access)、符号分割多元接続(CDMA, Code Division Multiple Access)、およびワールドワイドインターオペラビリティフォーマイクロウェーブアクセス(Wimax, Worldwide Interoperability for Microwave Access)などのいくつかの通信システムでは、ネットワークを介する正常な通信を保証するために、ネットワーク要素データなどのいくつかのデータを収集する必要がある。
【手続補正３】
【補正対象書類名】明細書
【補正対象項目名】００２１
【補正方法】変更
【補正の内容】
【００２１】
大部分が手作業を必要とする従来のドライブテストを縮小してデータをより効率的に収集するために、3GPPは従来のドライブテストデータ(端末測定データ)の主導による収集の代わりに、通常の商用端末による、ネットワーク最適化に必要なパラメータの自動報告を用いることを研究している。通常の商用端末による端末測定データの自動報告は、ドライブテストデータ(端末測定データ)を収集するためのMDT(minimization of drive test,  ドライブテストの最小化)の基本方法として使用できる。
【手続補正４】
【補正対象書類名】明細書
【補正対象項目名】００２５
【補正方法】変更
【補正の内容】
【００２５】
トレースセッションアクティベーションメッセージは、特定のユーザまたは装置のためのシグナリングトレース手順をトリガするために使用され、国際モバイル電話加入者識別番号(IMSI, International Mobile Subscriber Identity)または国際モバイル機器識別番号(IMEISV)、トレース参照識別番号(Trace Reference Identity)、トリガリングイベント(Triggering events)、トレース深度(Trace Depth)、トレースするNEタイプのリスト(List of NE types to trace)、トレースインターフェースのリスト(List of Trace Interfaces)、およびトレース収集エンティティのIPアドレス(IP address of Trace Data Collection Entity)を含む、トレース構成パラメータを搬送する。
【手続補正５】
【補正対象書類名】明細書
【補正対象項目名】００３４
【補正方法】変更
【補正の内容】
【００３４】
他の態様では、本発明は、
端末測定データを収集するために使用される構成パラメータ、または端末測定停止インジケータを構成するように構成された統合基準点マネージャ(IRP Manager)と、
端末測定データ開始操作または端末測定データ停止操作をIRP Agentに送信するように構成された送信ユニットであって、IRP Agentが端末測定データを収集するために使用される構成パラメータ、または端末測定停止インジケータをUEに送信できるように、端末測定データ開始操作が、端末測定データ収集を開始するために使用されて、端末測定データを収集するために使用される構成パラメータを搬送し、端末測定データ停止操作が、端末測定データ収集の停止を命令するために使用されて、端末測定データインジケータを搬送する送信ユニットとを含む、統合基準点マネージャシステムを開示する。
【手続補正６】
【補正対象書類名】明細書
【補正対象項目名】００３５
【補正方法】変更
【補正の内容】
【００３５】
他の態様では、本発明は、
IRP Managerによって送信された端末測定データ開始操作または端末測定データ停止操作を受信するように構成された受信ユニットであって、端末測定データ開始操作が、端末測定データ収集を開始するために使用されて、端末測定データを収集するために使用される構成パラメータを搬送し、端末測定データ停止操作が、端末測定データ収集の停止を命令するために使用される受信ユニットと、
ネットワークを介して、端末測定データ収集の開始、または端末測定データ収集の終了をUEに通知するように構成された統合基準点エージェント(IRP Agent)とを含む、統合基準点エージェントシステムを開示する。
【手続補正７】
【補正対象書類名】明細書
【補正対象項目名】００４４
【補正方法】変更
【補正の内容】
【００４４】
本発明の技術的ソリューションは、GSM(登録商標)、符号分割多元接続(CDMA, Code Division Multiple Access)システム、TDS-CDMA、CDMA2000、Wimax、広帯域符号分割多元接続(WCDMA, Wideband Code Division Multiple Wireless Access)、汎用パケット無線サービス(GPRS, General Packet Radio Service)、およびロングタームエボリューション(LTE, Long Term Evolution)などのあらゆるタイプの通信システムに適用できる。モバイルユーザ(UE, User Equipment)またはモバイルユーザ装置とも呼ばれるモバイル端末(Mobile Terminal)は、無線アクセスネットワーク(RAN, Radio Access Networkなど)を介して1つまたは複数のコアネットワークと通信できる。モバイル端末は、無線アクセスネットワークと音声および/またはデータを交換する、モバイル電話(またはセルラー式電話)、およびポータブル、ポケット、ハンドヘルド、コンピュータ内蔵、または車載モバイル装置などのモバイル端末を備えたコンピュータなどの移動局でよい。
【手続補正８】
【補正対象書類名】明細書
【補正対象項目名】００４９
【補正方法】変更
【補正の内容】
【００４９】
NMS 601はEMS 603を通じてMME 608と通信できるように接続されている。EUTRANまたはUTRAネットワークでは、無線ネットワーク内のネットワーク要素をネットワーク管理システム601によって一律に管理できる。たとえば、NMS601は、ネットワーク要素605の統合基準点エージェント(Integration Reference Point Agent, IRP Agent)に通信できるように接続されており、Itf-Nインターフェースを通じてEMS603の統合基準点エージェント(Integration Reference Point Agent, IRP Agent)に接続されている、統合基準点マネージャ(Integration Reference Point Manager, IRP Manager)を含む。EMS 603のIRP Agentはネットワーク607と通信できるように接続されている。NMS 601はIRP Managerを通じてネットワーク要素605およびネットワーク要素607を制御する。
【手続補正９】
【補正対象書類名】明細書
【補正対象項目名】００６４
【補正方法】変更
【補正の内容】
【００６４】
801. IRP Managerが端末測定データ開始操作(MDT Data Request)をIRP Agentに送信する。
【手続補正１０】
【補正対象書類名】明細書
【補正対象項目名】００６７
【補正方法】変更
【補正の内容】
【００６７】
802. IRP Agentは、トレースセッションアクティベーション(Trace Session Activation)メッセージをHSSに送信する。
【手続補正１１】
【補正対象書類名】明細書
【補正対象項目名】００７０
【補正方法】変更
【補正の内容】
【００７０】
本発明の他の実施形態では、IRP Agentはトレースセッションアクティベーション(Trace Session Activation)メッセージをMME/SGSN(802b)またはeノードB/RNC (802c)に送信でき、トレースセッションアクティベーションメッセージは端末測定データを収集するために使用される構成パラメータ(MDT Configuration)を搬送する。説明を簡単にするために、この実施形態では、IRP Agentはトレースセッションアクティベーション(Trace Session Activation)メッセージをHSSに送信し、これを説明のための例とする。
【手続補正１２】
【補正対象書類名】明細書
【補正対象項目名】００８４
【補正方法】変更
【補正の内容】
【００８４】
901. IRP Managerは、端末測定データ開始操作(MDT Data Request)をIRP Agentに送信して端末測定データの収集を要求し、メッセージは端末測定データを収集するために使用される構成パラメータを搬送する。
【手続補正１３】
【補正対象書類名】明細書
【補正対象項目名】００８５
【補正方法】変更
【補正の内容】
【００８５】
たとえば、IRP Managerは端末測定データ開始操作(MDT Data Request)をIRP Agentに送信する。端末測定データ開始操作は、端末測定データ収集を開始するために使用され、端末測定データを収集するために使用される構成パラメータ(MDT Configuration)を搬送する。
【手続補正１４】
【補正対象書類名】明細書
【補正対象項目名】００８６
【補正方法】変更
【補正の内容】
【００８６】
902. IRP Agentは、トレースセッションアクティベーション(Trace Session Activation)メッセージをHSSに送信する。
【手続補正１５】
【補正対象書類名】明細書
【補正対象項目名】００８８
【補正方法】変更
【補正の内容】
【００８８】
本発明の他の実施形態では、IRP Agentはトレースセッションアクティベーション(Trace Session Activation)メッセージをMME/SGSN(902b)またはeノードB/RNC (902c)に送信でき、トレースセッションアクティベーションメッセージは、端末測定データを収集するために使用される構成パラメータ(MDT Configuration)を搬送する。説明を簡単にするために、この実施形態では、IRP Agentはトレースセッションアクティベーション(Trace Session Activation)メッセージをHSSに送信し、これを説明のための例とする。
【手続補正１６】
【補正対象書類名】明細書
【補正対象項目名】０１００
【補正方法】変更
【補正の内容】
【０１００】
1001. IRP Managerは、端末測定データ開始操作(MDT Data Request)をIRP Agentに送信する。
【手続補正１７】
【補正対象書類名】明細書
【補正対象項目名】０１０２
【補正方法】変更
【補正の内容】
【０１０２】
1002. IRP Agentは、トレースセッションアクティベーション(Trace Session Activation)メッセージをHSSに送信する。
【手続補正１８】
【補正対象書類名】明細書
【補正対象項目名】０１０４
【補正方法】変更
【補正の内容】
【０１０４】
本発明の他の実施形態では、IRP Agentはトレースセッションアクティベーション(Trace Session Activation)メッセージをMME/SGSN(1002b)またはeノードB/RNC(1002c)に送信でき、トレースセッションアクティベーションメッセージは端末測定データを収集するために使用される構成パラメータ(MDT Configuration)を搬送する。説明を簡単にするために、この実施形態では、IRP Agentはトレースセッションアクティベーション(Trace Session Activation)メッセージをHSSに送信し、これを説明のための例とする。
【手続補正１９】
【補正対象書類名】明細書
【補正対象項目名】０１１４
【補正方法】変更
【補正の内容】
【０１１４】
図11は、本発明の他の実施形態による、端末測定データを収集するための方法の概略的流れ図であり、管理トレース手順に基づいて複数のユーザ端末の測定データを収集する処理であり、IRP Agentが端末測定データを収集するために使用される構成パラメータをノードBに送信する処理を説明する。
【手続補正２０】
【補正対象書類名】明細書
【補正対象項目名】０１１５
【補正方法】変更
【補正の内容】
【０１１５】
1101. IRP Managerは、端末測定データ開始操作(MDT Data Request)をIRP Agentに送信する。
【手続補正２１】
【補正対象書類名】明細書
【補正対象項目名】０１１７
【補正方法】変更
【補正の内容】
【０１１７】
1102. IRP Agentは、セルトラフィックトレース(Cell Traffic Trace)メッセージをeノードBに送信する。
【手続補正２２】
【補正対象書類名】明細書
【補正対象項目名】０１２４
【補正方法】変更
【補正の内容】
【０１２４】
1201. IRP Managerは、端末測定データ開始操作(MDT Data Request)をIRP Agentに送信する。
【手続補正２３】
【補正対象書類名】明細書
【補正対象項目名】０１２６
【補正方法】変更
【補正の内容】
【０１２６】
1202. IRP Agentは、トレースセッションアクティベーション(Trace Session Activation)メッセージをHSSに送信する。
【手続補正２４】
【補正対象書類名】明細書
【補正対象項目名】０１２８
【補正方法】変更
【補正の内容】
【０１２８】
本発明の他の実施形態では、IRP Agentはトレースセッションアクティベーション(Trace Session Activation)メッセージをMME/SGSN(1202b)またはeノードB/RNC(1202c)に送信でき、トレースセッションアクティベーションメッセージは端末測定データを収集するために使用される構成パラメータ(MDT Configuration)を搬送する。説明を簡単にするために、この実施形態では、IRP Agentはトレースセッションアクティベーション(Trace Session Activation)メッセージをHSSに送信し、これを説明のための例とする。
【手続補正２５】
【補正対象書類名】明細書
【補正対象項目名】０１４３
【補正方法】変更
【補正の内容】
【０１４３】
1301. IRP Managerは、端末測定データ開始操作(MDT Data Request)をIRP Agentに送信する。
【手続補正２６】
【補正対象書類名】明細書
【補正対象項目名】０１４５
【補正方法】変更
【補正の内容】
【０１４５】
1302. IRP Agentは、トレースセッションアクティベーション(Trace Session Activation)メッセージをHSSに送信する。
【手続補正２７】
【補正対象書類名】明細書
【補正対象項目名】０１４８
【補正方法】変更
【補正の内容】
【０１４８】
1303. HSSはトレースセッションアクティベーション応答(Trace Session Activation Response)をIRP Agentに送信する。
【手続補正２８】
【補正対象書類名】明細書
【補正対象項目名】０１４９
【補正方法】変更
【補正の内容】
【０１４９】
UEは接続されていないかアイドル状態なので、HSSはトレースセッションアクティベーション応答をIRP Agentに送信して、IRP AgentにUEの状態情報を通知する。
【手続補正２９】
【補正対象書類名】明細書
【補正対象項目名】０１５０
【補正方法】変更
【補正の内容】
【０１５０】
1304. IRP Agentは端末測定データ応答をIRP Managerに送信する。
【手続補正３０】
【補正対象書類名】明細書
【補正対象項目名】０１５２
【補正方法】変更
【補正の内容】
【０１５２】
1401. IRP Managerは、端末測定データ停止要求(MDT Data Stop)をIRP Agentに送信する。
【手続補正３１】
【補正対象書類名】明細書
【補正対象項目名】０１５４
【補正方法】変更
【補正の内容】
【０１５４】
1402. IRP Agentはトレースセッションデアクティベーション(Trace Session Deactivation)メッセージをHSSに送信する。
【手続補正３２】
【補正対象書類名】明細書
【補正対象項目名】０１５６
【補正方法】変更
【補正の内容】
【０１５６】
本発明の他の実施形態では、IRP Agentは、トレースセッションデアクティベーションメッセージをMME/SGSN (1402b)またはeノードB/RNC(1402c)に送信でき、トレースセッションデアクティベーションメッセージは端末測定停止インジケータ(MDT stop indicator)を搬送する。説明を簡単にするために、この実施形態では、IRP AgentはトレースセッションデアクティベーションメッセージをHSSに送信し、これを説明のための例とする。
【手続補正３３】
【補正対象書類名】明細書
【補正対象項目名】０２４６
【補正方法】変更
【補正の内容】
【０２４６】
図18は、本発明の他の実施形態によるIRP管理システムの概略的構造図である。IRP管理システムは、IRP Manager1801および送信ユニット1802を含む。
【手続補正３４】
【補正対象書類名】明細書
【補正対象項目名】０２５０
【補正方法】変更
【補正の内容】
【０２５０】
図19は、本発明の他の実施形態による、IRP Agentシステムの概略的構造図である。IRP Agentシステムは、受信ユニット1901およびIRP Agent1902を含む。
【手続補正３５】
【補正対象書類名】明細書
【補正対象項目名】０２５２
【補正方法】変更
【補正の内容】
【０２５２】
IRP Agent1902は、ネットワークを介して、端末測定データ収集の開始、または端末測定データ収集の終了をUEに通知するように構成されている。
【手続補正３６】
【補正対象書類名】明細書
【補正対象項目名】０２５３
【補正方法】変更
【補正の内容】
【０２５３】
たとえば、任意で、端末測定データ停止操作は端末測定停止インジケータを搬送し、IRP Agent1902は端末測定データを収集するために使用される構成パラメータ、または端末測定停止インジケータを、ネットワークを介してUEに送信するように構成されており、UEが端末測定データを収集するために使用される構成パラメータによって端末測定データ収集を開始できるように、または端末測定停止インジケータによって端末測定データ収集を終了できるようにする。
【手続補正３７】
【補正対象書類名】明細書
【補正対象項目名】０２５４
【補正方法】変更
【補正の内容】
【０２５４】
たとえば、IRP Agent1902は、トレースセッションアクティベーションまたはトレースセッションデアクティベーションメッセージをHSS、MME、SGSN、eノードB、またはRNC、あるいはMSCに送信するように特に構成されている。トレースセッションアクティベーションメッセージは、特定のユーザまたは装置のためのシグナリングトレース手順をトリガするために使用され、端末測定データを収集するために使用される構成パラメータを搬送し、トレースセッションデアクティベーションメッセージは端末測定停止インジケータを搬送する。トレースセッションアクティベーションまたはトレースセッションデアクティベーションメッセージを受信するエンティティは、端末測定データを収集するために使用される構成パラメータ、または端末測定停止インジケータをUEに送信する。
【手続補正３８】
【補正対象書類名】明細書
【補正対象項目名】０２５５
【補正方法】変更
【補正の内容】
【０２５５】
本発明の他の実施形態では、IRP Agent1902は、セルトラフィックトレースメッセージを使用することによって端末測定データ構成をUEに送信して、UEに端末測定データの測定を通知する。
【手続補正３９】
【補正対象書類名】明細書
【補正対象項目名】０２７７
【補正方法】変更
【補正の内容】
【０２７７】
たとえば、受信ユニット2201は、IRP Agentによって送信されたトレースセッションデアクティベーションメッセージを受信し、トレースセッションデアクティベーションメッセージは、端末測定停止インジケータを搬送する。
【手続補正４０】
【補正対象書類名】明細書
【補正対象項目名】０２８０
【補正方法】変更
【補正の内容】
【０２８０】
図23は、本発明の他の実施形態によるユーザ装置の概略的構造図である。ユーザ装置は、トランシーバ2301および測定ユニット2302を含む。
【手続補正４１】
【補正対象書類名】図面
【補正対象項目名】図１３
【補正方法】変更
【補正の内容】
【図１３】
2013520886.tif 000032
【国際調査報告】
2013520886.tif 000033
2013520886.tif 000034
2013520886.tif 000035
2013520886.tif 000036